(57)【特許請求の範囲】
【請求項１】
ネットワークデバイスによって、第１のメッセージを端末デバイスに送信するステップであって、前記第１のメッセージは、物理ランダムアクセスチャネルの候補時間領域リソースユニットのセットを示すために使用される、ステップと、
前記ネットワークデバイスによって、第２のメッセージを前記端末デバイスに送信するステップであって、前記第２のメッセージは、前記候補時間領域リソースユニットのセットのうちの第１の候補時間領域リソースユニットの時間領域リソースユニットフォーマットを示すために使用される、ステップと、
前記ネットワークデバイスによって、前記端末デバイスから、前記時間領域リソースユニットフォーマットに基づいて、前記第１の候補時間領域リソースユニット内において、ランダムアクセスプリアンブルを受信するステップと
を含み、
前記候補時間領域リソースユニットは、アップリンク時間領域リソースリージョンを含み、前記時間領域リソースユニットフォーマットは、複数の時間領域リソースユニットフォーマットのうちの１つであり、前記複数の時間領域リソースユニットフォーマットに含まれるアップリンク時間領域リソースリージョンは、異なるサイズを有し、
前記ネットワークデバイスによって、前記端末デバイスから、前記時間領域リソースユニットフォーマットに基づいて、前記第１の候補時間領域リソースユニット内において、ランダムアクセスプリアンブルを受信する前記ステップは、
前記ネットワークデバイスによって、前記第１の候補時間領域リソースユニットの前記時間領域リソースユニットフォーマットに対応する第１のマッピングモードに基づいて、前記第１の候補時間領域リソースユニット内において、前記ランダムアクセスプリアンブルを受信するステップであって、前記第１のマッピングモードは、複数の第１のマッピングモードのうちの１つであり、前記第１のマッピングモードは、前記ランダムアクセスプリアンブルと、前記アップリンク時間領域リソースリージョン内における時間領域位置との間のマッピングのモードを含む、ステップ
を含む通信方法。
【請求項２】
前記複数の第１のマッピングモードは、
モード１：前記アップリンク時間領域リソースリージョンの第１の時間領域シンボルと、前記ランダムアクセスプリアンブルの第１の時間領域シンボルは、Ｍ個の時間領域シンボルだけ間隔を空けられ、Ｍは、０以上である、
モード２：前記ランダムアクセスプリアンブルの前記第１の時間領域シンボルは、前記アップリンク時間領域リソースリージョンの前記第１の時間領域シンボルであり、前記アップリンク時間領域リソースリージョンは、第１の時間領域リソースリージョンと、第２の時間領域リソースリージョンとを含み、前記第１の時間領域リソースリージョンは、前記ランダムアクセスプリアンブルを受信するために使用され、前記第２の時間領域リソースリージョンは、ガードタイムとして使用される、
モード３：前記ランダムアクセスプリアンブルの最後の時間領域シンボルは、前記アップリンク時間領域リソースリージョンの最後の時間領域シンボルである
のうちの少なくとも１つを含む請求項１に記載の方法。
【請求項３】
前記複数の第１のマッピングモードは、事前設定され、または
前記方法は、
前記ネットワークデバイスによって、第２の指示情報を前記端末デバイスに送信するステップであって、前記第２の指示情報は、前記複数の第１のマッピングモードを示すために使用される、ステップ
をさらに含む
請求項１または２に記載の方法。
【請求項４】
候補時間領域リソースユニットの前記セット内に含まれる、すべての候補時間領域リソースユニットは、同じ時間領域リソースユニットフォーマットを有し、または
候補時間領域リソースユニットの前記セットは、前記第１の候補時間領域リソースユニットと、第２の候補時間領域リソースユニットとを含み、前記第１の候補時間領域リソースユニットは、第１の時間領域リソースユニットフォーマットを有し、前記第２の候補時間領域リソースユニットは、第２の時間領域リソースユニットフォーマットを有し、前記第１の時間領域リソースユニットフォーマットは、前記第２の時間領域リソースユニットフォーマットと異なる
請求項１乃至３のいずれか一項に記載の方法。
【請求項５】
前記ネットワークデバイスによって、前記端末デバイスから、前記時間領域リソースユニットフォーマットに基づいて、前記第１の候補時間領域リソースユニット内において、ランダムアクセスプリアンブルを受信する前記ステップは、
前記ネットワークデバイスによって、前記第１の候補時間領域リソースユニットの前記時間領域リソースユニットフォーマットに対応するランダムアクセスプリアンブルフォーマットに基づいて、前記第１の候補時間領域リソースユニット内において、前記ランダムアクセスプリアンブルを受信するステップであって、前記ランダムアクセスプリアンブルフォーマットは、複数の異なるランダムアクセスプリアンブルフォーマットのうちの１つである、ステップ
を含む請求項１乃至４のいずれか一項に記載の方法。
【請求項６】
前記複数の異なるランダムアクセスプリアンブルフォーマットにおけるランダムアクセスプリアンブルは、異なる長さを有する請求項５に記載の方法。
【請求項７】
端末デバイスによって、ネットワークデバイスから第１のメッセージを受信するステップであって、前記第１のメッセージは、物理ランダムアクセスチャネルの候補時間領域リソースユニットのセットを示すために使用される、ステップと、
前記端末デバイスによって、前記ネットワークデバイスから第２のメッセージを受信するステップであって、前記第２のメッセージは、前記候補時間領域リソースユニットのセットのうちの第１の候補時間領域リソースユニットの時間領域リソースユニットフォーマットを示すために使用される、ステップと、
前記端末デバイスによって、前記時間領域リソースユニットフォーマットに基づいて、前記第１の候補時間領域リソースユニット内において、ランダムアクセスプリアンブルを前記ネットワークデバイスに送信するステップと
を含み、
前記候補時間領域リソースユニットは、アップリンク時間領域リソースリージョンを含み、前記時間領域リソースユニットフォーマットは、複数の時間領域リソースユニットフォーマットのうちの１つであり、前記複数の時間領域リソースユニットフォーマットに含まれるアップリンク時間領域リソースリージョンは、異なるサイズを有し、
前記端末デバイスによって、前記時間領域リソースユニットフォーマットに基づいて、前記第１の候補時間領域リソースユニット内において、ランダムアクセスプリアンブルを前記ネットワークデバイスに送信する前記ステップは、
前記端末デバイスによって、前記第１の候補時間領域リソースユニットの前記時間領域リソースユニットフォーマットに対応する第１のマッピングモードに基づいて、前記第１の候補時間領域リソースユニット内において、前記ランダムアクセスプリアンブルを前記ネットワークデバイスに送信するステップであって、前記第１のマッピングモードは、複数の第１のマッピングモードのうちの１つであり、前記第１のマッピングモードは、前記ランダムアクセスプリアンブルと、前記アップリンク時間領域リソースリージョン内における時間領域位置との間のマッピングのモードを含む、ステップ
を含む通信方法。
【請求項８】
前記複数の第１のマッピングモードは、
モード１：前記アップリンク時間領域リソースリージョンの第１の時間領域シンボルと、前記ランダムアクセスプリアンブルの第１の時間領域シンボルは、Ｍ個の時間領域シンボルだけ間隔を空けられ、Ｍは、０以上である、
モード２：前記ランダムアクセスプリアンブルの前記第１の時間領域シンボルは、前記アップリンク時間領域リソースリージョンの前記第１の時間領域シンボルであり、前記アップリンク時間領域リソースリージョンは、第１の時間領域リソースリージョンと、第２の時間領域リソースリージョンとを含み、前記第１の時間領域リソースリージョンは、前記ランダムアクセスプリアンブルを送信するために使用され、前記第２の時間領域リソースリージョンは、ガードタイムとして使用される、
モード３：前記ランダムアクセスプリアンブルの最後の時間領域シンボルは、前記アップリンク時間領域リソースリージョンの最後の時間領域シンボルである
のうちの少なくとも１つを含む請求項７に記載の方法。
【請求項９】
前記複数の第１のマッピングモードは、事前設定され、または
前記方法は、
前記端末デバイスによって、第２の指示情報を前記ネットワークデバイスから受信するステップであって、前記第２の指示情報は、前記複数の第１のマッピングモードを示すために使用される、ステップ
をさらに含む
請求項７または８に記載の方法。
【請求項１０】
候補時間領域リソースユニットの前記セット内に含まれる、すべての候補時間領域リソースユニットは、同じ時間領域リソースユニットフォーマットを有し、または
候補時間領域リソースユニットの前記セットは、前記第１の候補時間領域リソースユニットと、第２の候補時間領域リソースユニットとを含み、前記第１の候補時間領域リソースユニットは、第１の時間領域リソースユニットフォーマットを有し、前記第２の候補時間領域リソースユニットは、第２の時間領域リソースユニットフォーマットを有し、前記第１の時間領域リソースユニットフォーマットは、前記第２の時間領域リソースユニットフォーマットと異なる
請求項７乃至９のいずれか一項に記載の方法。
【請求項１１】
前記端末デバイスによって、前記時間領域リソースユニットフォーマットに基づいて、前記第１の候補時間領域リソースユニット内において、ランダムアクセスプリアンブルを前記ネットワークデバイスに送信する前記ステップは、
前記端末デバイスによって、前記第１の候補時間領域リソースユニットの前記時間領域リソースユニットフォーマットに対応するランダムアクセスプリアンブルフォーマットに基づいて、前記第１の候補時間領域リソースユニット内において、前記ランダムアクセスプリアンブルを前記ネットワークデバイスに送信するステップであって、前記ランダムアクセスプリアンブルフォーマットは、複数の異なるランダムアクセスプリアンブルフォーマットのうちの１つである、ステップ
を含む請求項７乃至１０のいずれか一項に記載の方法。
【請求項１２】
前記複数の異なるランダムアクセスプリアンブルフォーマットにおけるランダムアクセスプリアンブルは、異なる長さを有する請求項１１に記載の方法。
【請求項１３】
ネットワークデバイスであって、
第１のメッセージを端末デバイスに送信するように構成された、送受信機ユニットであって、前記第１のメッセージは、物理ランダムアクセスチャネルの候補時間領域リソースユニットのセットを示すために使用される、送受信機ユニット、を備え、
前記送受信機ユニットは、第２のメッセージを前記端末デバイスに送信するようにさらに構成され、前記第２のメッセージは、前記候補時間領域リソースユニットのセットのうちの第１の候補時間領域リソースユニットの時間領域リソースユニットフォーマットを示すために使用され、
前記ネットワークデバイスは、
前記送受信機ユニットを制御して、前記端末デバイスから、前記時間領域リソースユニットフォーマットに基づいて、前記第１の候補時間領域リソースユニット内において、ランダムアクセスプリアンブルを受信するように構成された、処理ユニット
を備え、
前記候補時間領域リソースユニットは、アップリンク時間領域リソースリージョンを含み、前記時間領域リソースユニットフォーマットは、複数の時間領域リソースユニットフォーマットのうちの１つであり、前記複数の時間領域リソースユニットフォーマットに含まれるアップリンク時間領域リソースリージョンは、異なるサイズを有し、
前記処理ユニットは、前記第１の候補時間領域リソースユニットの前記時間領域リソースユニットフォーマットに対応する第１のマッピングモードに基づいて、前記第１の候補時間領域リソースユニット内において、前記ランダムアクセスプリアンブルを受信するように構成され、前記第１のマッピングモードは、複数の第１のマッピングモードのうちの１つであり、前記第１のマッピングモードは、前記ランダムアクセスプリアンブルと、前記アップリンク時間領域リソースリージョン内における時間領域位置との間のマッピングのモードを含む、ネットワークデバイス。
【請求項１４】
端末デバイスであって、
ネットワークデバイスから第１のメッセージを受信するように構成された、送受信機ユニットであって、前記第１のメッセージは、物理ランダムアクセスチャネルの候補時間領域リソースユニットのセットを示すために使用される、送受信機ユニット、を備え、
前記送受信機ユニットは、前記ネットワークデバイスから第２のメッセージを受信するようにさらに構成され、前記第２のメッセージは、前記候補時間領域リソースユニットのセットのうちの第１の候補時間領域リソースユニットの時間領域リソースユニットフォーマットを示すために使用され、
前記端末デバイスは、
前記送受信機ユニットを制御して、前記時間領域リソースユニットフォーマットに基づいて、前記第１の候補時間領域リソースユニット内において、ランダムアクセスプリアンブルを前記ネットワークデバイスに送信するように構成された処理ユニット
を備え、
前記候補時間領域リソースユニットは、アップリンク時間領域リソースリージョンを含み、前記時間領域リソースユニットフォーマットは、複数の時間領域リソースユニットフォーマットのうちの１つであり、前記複数の時間領域リソースユニットフォーマットに含まれるアップリンク時間領域リソースリージョンは、異なるサイズを有し、
前記処理ユニットは、前記第１の候補時間領域リソースユニットの前記時間領域リソースユニットフォーマットに対応する第１のマッピングモードに基づいて、前記第１の候補時間領域リソースユニット内において、前記ランダムアクセスプリアンブルを前記ネットワークデバイスに送信するように構成され、前記第１のマッピングモードは、複数の第１のマッピングモードのうちの１つであり、前記第１のマッピングモードは、前記ランダムアクセスプリアンブルと、前記アップリンク時間領域リソースリージョン内における時間領域位置との間のマッピングのモードを含む、端末デバイス。
【請求項１５】
ネットワークデバイスであって、
第１のメッセージを端末デバイスに送信するように構成され、前記第１のメッセージは、物理ランダムアクセスチャネルの候補時間領域リソースユニットのセットを示すために使用される、送受信機ユニットを備え、
前記送受信機ユニットは、前記端末デバイスに第２のメッセージを送信するようにさらに構成され、前記第２のメッセージは、前記候補時間領域リソースユニットのセットのうちの第１の候補時間領域リソースユニットの時間領域リソースユニットフォーマットを示すために使用され、
前記送受信機ユニットを制御して、前記時間領域リソースユニットフォーマットに基づいて、前記第１の候補時間領域リソースユニット内において、ランダムアクセスプリアンブルを前記端末デバイスから受信するように構成されたプロセッサ
を備え、
前記候補時間領域リソースユニットは、アップリンク時間領域リソースリージョンを含み、前記時間領域リソースユニットフォーマットは、複数の時間領域リソースユニットフォーマットのうちの１つであり、前記複数の時間領域リソースユニットフォーマットに含まれるアップリンク時間領域リソースリージョンは、異なるサイズを有し、
前記プロセッサは、前記第１の候補時間領域リソースユニットの前記時間領域リソースユニットフォーマットに対応する第１のマッピングモードに基づいて、前記第１の候補時間領域リソースユニット内において、前記ランダムアクセスプリアンブルを受信するように構成され、前記第１のマッピングモードは、複数の第１のマッピングモードのうちの１つであり、前記第１のマッピングモードは、前記ランダムアクセスプリアンブルと、前記アップリンク時間領域リソースリージョン内における時間領域位置との間のマッピングのモードを含む、ネットワークデバイス。
【請求項１６】
端末デバイスであって、
第１のメッセージをネットワークデバイスから受信するように構成され、前記第１のメッセージは、物理ランダムアクセスチャネルの候補時間領域リソースユニットのセットを示すために使用される、送受信機ユニットを備え、
前記送受信機ユニットは、前記ネットワークデバイスから第２のメッセージを受信するようにさらに構成され、前記第２のメッセージは、前記候補時間領域リソースユニットのセットのうちの第１の候補時間領域リソースユニットの時間領域リソースユニットフォーマットを示すために使用され、
前記送受信機ユニットを制御して、前記時間領域リソースユニットフォーマットに基づいて、前記第１の候補時間領域リソースユニット内において、ランダムアクセスプリアンブルを前記ネットワークデバイスに送信するように構成されたプロセッサ
を備え、
前記候補時間領域リソースユニットは、アップリンク時間領域リソースリージョンを含み、前記時間領域リソースユニットフォーマットは、複数の時間領域リソースユニットフォーマットのうちの１つであり、前記複数の時間領域リソースユニットフォーマットに含まれるアップリンク時間領域リソースリージョンは、異なるサイズを有し、
前記プロセッサは、前記第１の候補時間領域リソースユニットの前記時間領域リソースユニットフォーマットに対応する第１のマッピングモードに基づいて、前記第１の候補時間領域リソースユニット内において、前記ランダムアクセスプリアンブルを前記ネットワークデバイスに送信するように構成され、前記第１のマッピングモードは、複数の第１のマッピングモードのうちの１つであり、前記第１のマッピングモードは、前記ランダムアクセスプリアンブルと、前記アップリンク時間領域リソースリージョン内における時間領域位置との間のマッピングのモードを含む、端末デバイス。
【請求項１７】
請求項１３に記載のネットワークデバイスと、請求項１４に記載の端末デバイスとを備える、または
請求項１５に記載のネットワークデバイスと、請求項１６に記載の端末デバイスとを備える
通信システム。
【請求項１８】
命令を含むコンピュータ可読記憶媒体であって、前記命令がコンピュータ上において実行されたとき、前記コンピュータは、請求項１乃至６のいずれか一項に記載の方法を実行することを可能にされるコンピュータ可読記憶媒体。
【請求項１９】
命令を含むプログラムであって、前記命令がコンピュータ上において実行されたとき、前記コンピュータは、請求項１乃至６のいずれか一項に記載の方法を実行することを可能にされるプログラム。
【請求項２０】
命令を含むコンピュータ可読記憶媒体であって、前記命令がコンピュータ上において実行されたとき、前記コンピュータは、請求項７乃至１２のいずれか一項に記載の方法を実行することを可能にされるコンピュータ可読記憶媒体。
【請求項２１】
命令を含むプログラムであって、前記命令がコンピュータ上において実行されたとき、前記コンピュータは、請求項７乃至１２のいずれか一項に記載の方法を実行することを可能にされるプログラム。
【発明の詳細な説明】
【技術分野】
【０００１】
本出願の実施形態は、通信技術の分野に関し、詳細には、通信方法、ネットワークデバイス、およびユーザ機器に関する。
【背景技術】
【０００２】
本出願は、その全体が参照によって本明細書に組み込まれる、「ＣＯＭＭＵＮＩＣＡＴＩＯＮ  ＭＥＴＨＯＤ，  ＮＥＴＷＯＲＫ  ＤＥＶＩＣＥ，  ＡＮＤ  ＵＳＥＲ  ＥＱＵＩＰＭＥＮＴ」と題する、２０１７年６月１６日に中国特許庁に出願された、中国特許出願第２０１７１０４５９６７０．３号の優先権を主張するものである。
【０００３】
第３世代パートナシッププロジェクト（英語：ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）によって策定された、ロングタームエボリューション（英語：Ｌｏｎｇ  Ｔｅｒｍ  Ｅｖｏｌｕｔｉｏｎ、ＬＴＥ）システム規格は、第４世代無線アクセスシステム規格と見なされている。既存のＬＴＥ通信システムと時分割複信（Ｔｉｍｅ  Ｄｉｖｉｓｉｏｎ  Ｄｕｐｌｅｘ、ＴＤＤ）モードでは、ユーザ機器（英語：Ｕｓｅｒ  Ｅｑｕｉｐｍｅｎｔ、ＵＥ）のランダムアクセス手順において、ネットワークデバイスは、事前定義されたランダムアクセスリソースインデックス番号を含む、システム情報ブロックタイプ２（英語：Ｓｙｓｔｅｍ  Ｉｎｆｏｒｍａｔｉｏｎ  Ｂｌｏｃｋ  ｔｙｐｅ  ２、ＳＩＢ２）ブロードキャストメッセージをＵＥに送信する必要があり、ＵＥは、インデックス番号に従って、事前記憶されたランダムアクセスリソース構成テーブルを調べて、ランダムアクセス手順が開始されることができる、対応するランダムアクセスリソースを決定し、ここで、ランダムアクセスリソースは、異なる事前定義されたアップリンク−ダウンリンクサブフレーム構成の各々に対応する、明確な定義を有する。インデックス番号は、ＳＩＢ２ブロードキャストメッセージを使用することにより、ネットワークデバイスによって半静的に提供される。具体的には、ＵＥは、アップリンク−ダウンリンクサブフレーム構成と関連付けられた、ネットワークデバイスによって送信されたインデックス番号に従って、テーブルを調べて、ランダムアクセス手順が開始されることができる、ランダムアクセスリソースを決定する。半静的なランダムアクセスリソース割り当てソリューションは、事前定義されたアップリンク−ダウンリンクサブフレーム構成によって制限されるリソース割り当てソリューションであるので、通信システムが無線リソースを割り当てる柔軟性が制限される。
【０００４】
通信システムにおけるシナリオおよびサービスの要件が多様化されるのに伴い、次世代通信システム、例えば、代替として第５世代（５Ｇ）無線アクセスシステムとも呼ばれる、ニューラジオ（Ｎｅｗ  Ｒａｄｉｏ、ＮＲ）システムにおいては、異なるサービスは、異なるリソース要件を有する。このケースにおいては、動的時分割複信（英語：Ｄｙｎａｍｉｃ−Ｔｉｍｅ  Ｄｉｖｉｓｉｏｎ  Ｄｕｐｌｅｘ、Ｄ−ＴＤＤ）技術が、広く注目を集めている。Ｄ−ＴＤＤは、ネットワークデバイスがアップリンク−ダウンリンクサブフレーム構成を柔軟に調整できることを意味する。ネットワークデバイスは、アップリンクリソースおよびダウンリンクリソースについての異なるサービスの要件に基づいて、ＴＤＤアップリンク−ダウンリンクサブフレーム構成を動的に調整し得る。しかしながら、セルのアップリンクおよびダウンリンクリソースがネットワークデバイスによって動的に決定される通信システムについては、物理ランダムアクセスチャネルのリソース構成をどのように決定すべきかが、現在早急に解決されるべき問題になる。
【発明の概要】
【発明が解決しようとする課題】
【０００５】
本出願は、物理ランダムアクセスチャネルの時間−周波数リソースを動的に示すための通信方法、ネットワークデバイス、およびユーザ機器を提供する。
【課題を解決するための手段】
【０００６】
第１の態様に従うと、本出願の実施形態は、通信方法を提供し、方法は、最初に、ネットワークデバイスによって、第１のメッセージおよび第２のメッセージをユーザ機器に送信するステップであって、第１のメッセージは、ユーザ機器の物理ランダムアクセスチャネルの候補時間領域リソースユニットのセットを示すために使用され、候補時間領域リソースユニットのセットは、複数の候補時間領域リソースユニットを含み、第２のメッセージは、第１の指示情報を搬送し、第１の指示情報は、複数の候補時間領域リソースユニットのうちの第１の候補時間領域リソースユニットの時間領域リソースユニットフォーマットを示すために使用される、ステップと、次に、ネットワークデバイスによって、ユーザ機器から、時間領域リソースユニットフォーマットに基づいて、第１の候補時間領域リソースユニット内において、ランダムアクセスプリアンブルを受信するステップとを含む。
【０００７】
本出願においては、第１のメッセージは、ユーザ機器の物理ランダムアクセスチャネルの候補時間領域リソースユニットのセットを示すために使用される。このケースにおいては、ユーザ機器は、ランダムアクセス情報を搬送するために使用される、ＰＲＡＣＨの時間領域リソースを決定するために、第１のメッセージの指示に基づいて、候補時間領域リソースユニットのセットのうちの１つの候補時間領域リソースユニットを、第１の時間領域リソースユニットとして決定し得る。このように、アップリンク−ダウンリンクサブフレーム構成は、事前定義される必要はなく、通信システムにおけるランダムアクセスリソースの動的指示についての要件が、満たされることができ、それによって、ランダムアクセスリソース割り当ての柔軟性を改善する。さらに、候補時間領域リソースユニットのセットは、複数の候補時間領域リソースユニットを含む。これは、大量のユーザ機器が、１つの時間領域リソースユニットにおいて同時にランダムアクセスを試みるケースを効果的に回避することができ、ユーザ機器がランダムアクセス手順においてＰＲＡＣＨリソース構成を実行するときに引き起こされる可能性がある、リソース衝突を効果的に低減させることができる。
【０００８】
任意選択の設計においては、候補時間領域リソースユニットは、アップリンク時間領域リソースリージョンを含み、時間領域リソースユニットフォーマットは、複数の時間領域リソースユニットフォーマットのうちの１つであり、複数の時間領域リソースユニットフォーマットに含まれるアップリンク時間領域リソースリージョンは、異なるサイズを有する。
【０００９】
本出願においては、リソース構成の選択がより柔軟であるように、候補時間領域リソースユニットは、異なる時間領域リソースユニットフォーマットを有し得る。
【００１０】
任意選択の設計においては、ネットワークデバイスによって、ユーザ機器から、時間領域リソースユニットフォーマットに基づいて、第１の候補時間領域リソースユニット内において、ランダムアクセスプリアンブルを受信するステップは、ネットワークデバイスによって、第１の候補時間領域ユニットの時間領域リソースユニットフォーマットに対応する第１のマッピングモードに基づいて、第１の候補時間領域リソースユニット内において、ランダムアクセスプリアンブルを受信するステップを含む。第１のマッピングモードは、複数の第１のマッピングモードのうちの１つである。第１のマッピングモードは、ランダムアクセスプリアンブルと、アップリンク時間領域リソースリージョン内における時間領域位置との間のマッピングのモードを含む。
【００１１】
任意選択の設計においては、複数の第１のマッピングモードは、
モード１：アップリンク時間領域リソースリージョンの第１の時間領域シンボルと、ランダムアクセスプリアンブルの第１の時間領域シンボルは、Ｍ個の時間領域シンボルだけ間隔を空けられ、Ｍは、０以上である、
モード２：ランダムアクセスプリアンブルの第１の時間領域シンボルは、アップリンク時間領域リソースリージョンの第１の時間領域シンボルであり、アップリンク時間領域リソースリージョンは、第１の時間領域リソースリージョンと、第２の時間領域リソースリージョンとを含み、第１の時間領域リソースリージョンは、ランダムアクセスプリアンブルを伝達するために使用され、第２の時間領域リソースリージョンは、ガードタイムとして使用される、
モード３：ランダムアクセスプリアンブルの最後の時間領域シンボルは、アップリンク時間領域リソースリージョンの最後の時間領域シンボルである
のうちの少なくとも１つを含む。
【００１２】
本出願においては、リソースマッピングモードがより柔軟であるように、ランダムアクセスプリアンブルと、アップリンク時間領域リソースリージョンとの間のマッピングの複数のモードが、提供される。特に、マッピングが、モード３で実行される場合、ユーザ機器は、ランダムアクセスプリアンブルが送信される、時間領域リソースユニットの時間領域リソースユニットフォーマットを検出する必要がない。これは、効果的に、ユーザ機器のエネルギー消費を低減させ、時間領域リソースユニットフォーマットを示すために必要とされるシステムオーバヘッドを低減させることができる。
【００１３】
任意選択の設計においては、複数の第１のマッピングモードは、事前設定される。
【００１４】
任意選択の設計においては、方法は、ネットワークデバイスによって、第２の指示情報を、ユーザ機器に送信するステップであって、第２の指示情報は、複数の第１のマッピングモードを示すために使用される、ステップをさらに含む。
【００１５】
任意選択の設計においては、候補時間領域リソースユニットのセット内に含まれる、すべての候補時間領域リソースユニットは、同じ時間領域リソースユニットフォーマットを有する。
【００１６】
すべての候補時間領域リソースユニットが、同じ時間領域リソースユニットフォーマットを有するとき、時間領域リソースユニットフォーマットを示すために必要とされるシステムオーバヘッドは、効果的に低減されることができる。
【００１７】
任意選択の設計においては、候補時間領域リソースユニットのセットは、第１の候補時間領域リソースユニットと、第２の候補時間領域リソースユニットとを含み、第１の候補時間領域リソースユニットは、第１の時間領域リソースユニットフォーマットを有し、第２の候補時間領域リソースユニットは、第２の時間領域リソースユニットフォーマットを有し、第１の時間領域リソースユニットフォーマットは、第２の時間領域リソースユニットフォーマットと異なる。
【００１８】
任意選択の設計においては、ネットワークデバイスによって、ユーザ機器から、時間領域リソースユニットフォーマットに基づいて、第１の候補時間領域リソースユニット内において、ランダムアクセスプリアンブルを受信するステップは、
ネットワークデバイスによって、第１の候補時間領域ユニットの時間領域リソースユニットフォーマットに対応するランダムアクセスプリアンブルフォーマットに基づいて、第１の候補時間領域リソースユニット内において、ランダムアクセスプリアンブルを受信するステップであって、ランダムアクセスプリアンブルフォーマットは、複数の異なるランダムアクセスプリアンブルフォーマットのうちの１つである、ステップ
を含む。
【００１９】
任意選択の設計においては、複数の異なるランダムアクセスプリアンブルフォーマットにおけるランダムアクセスプリアンブルは、異なる長さを有する。
【００２０】
第２の態様に従うと、本出願は、通信方法を提供し、方法は、最初に、ユーザ機器によって、ネットワークデバイスよって送信された第１のメッセージおよび第２のメッセージを受信するステップであって、第１のメッセージは、ユーザ機器の物理ランダムアクセスチャネルの候補時間領域リソースユニットのセットを示すために使用され、候補時間領域リソースユニットのセットは、複数の候補時間領域リソースユニットを含み、第２のメッセージは、第１の指示情報を搬送し、第１の指示情報は、複数の候補時間領域リソースユニットのうちの第１の候補時間領域リソースユニットの時間領域リソースユニットフォーマットを示すために使用される、ステップと、次に、ユーザ機器によって、時間領域リソースユニットフォーマットに基づいて、第１の候補時間領域リソースユニット内において、ランダムアクセスプリアンブルを、ネットワークデバイスに送信するステップとを含む。
【００２１】
任意選択の設計においては、候補時間領域リソースユニットは、アップリンク時間領域リソースリージョンを含み、時間領域リソースユニットフォーマットは、複数の時間領域リソースユニットフォーマットのうちの１つであり、複数の時間領域リソースユニットフォーマットに含まれるアップリンク時間領域リソースリージョンは、異なるサイズを有する。
【００２２】
任意選択の設計においては、ユーザ機器によって、時間領域リソースユニットフォーマットに基づいて、第１の候補時間領域リソースユニット内において、ランダムアクセスプリアンブルを、ネットワークデバイスに送信するステップは、ユーザ機器によって、第１の候補時間領域ユニットの時間領域リソースユニットフォーマットに対応する第１のマッピングモードに基づいて、第１の候補時間領域リソースユニット内において、ランダムアクセスプリアンブルを、ネットワークデバイスに送信するステップを含む。第１のマッピングモードは、複数の第１のマッピングモードのうちの１つである。第１のマッピングモードは、ランダムアクセスプリアンブルと、アップリンク時間領域リソースリージョン内における時間領域位置との間のマッピングのモードを含む。
【００２３】
任意選択の設計においては、複数の第１のマッピングモードは、
モード１：アップリンク時間領域リソースリージョンの第１の時間領域シンボルと、ランダムアクセスプリアンブルの第１の時間領域シンボルは、Ｍ個の時間領域シンボルだけ間隔を空けられ、Ｍは、０以上である、
モード２：ランダムアクセスプリアンブルの第１の時間領域シンボルは、アップリンク時間領域リソースリージョンの第１の時間領域シンボルであり、アップリンク時間領域リソースリージョンは、第１の時間領域リソースリージョンと、第２の時間領域リソースリージョンとを含み、第１の時間領域リソースリージョンは、ランダムアクセスプリアンブルを伝達するために使用され、第２の時間領域リソースリージョンは、ガードタイムとして使用される、
モード３：ランダムアクセスプリアンブルの最後の時間領域シンボルは、アップリンク時間領域リソースリージョンの最後の時間領域シンボルである
のうちの少なくとも１つを含む。
【００２４】
任意選択の設計においては、候補時間領域リソースユニットのセット内に含まれる、すべての候補時間領域リソースユニットは、同じ時間領域リソースユニットフォーマットを有する。
【００２５】
任意選択の設計においては、候補時間領域リソースユニットのセットは、第１の候補時間領域リソースユニットと、第２の候補時間領域リソースユニットとを含み、第１の候補時間領域リソースユニットは、第１の時間領域リソースユニットフォーマットを有し、第２の候補時間領域リソースユニットは、第２の時間領域リソースユニットフォーマットを有し、第１の時間領域リソースユニットフォーマットは、第２の時間領域リソースユニットフォーマットと異なる。
【００２６】
任意選択の設計においては、ユーザ機器によって、時間領域リソースユニットフォーマットに基づいて、第１の候補時間領域リソースユニット内において、ランダムアクセスプリアンブルを、ネットワークデバイスに送信するステップは、ユーザ機器によって、第１の候補時間領域ユニットの時間領域リソースユニットフォーマットに対応するランダムアクセスプリアンブルフォーマットに基づいて、第１の候補時間領域リソースユニット内において、ランダムアクセスプリアンブルを、ネットワークデバイスに送信するステップであって、ランダムアクセスプリアンブルフォーマットは、複数の異なるランダムアクセスプリアンブルフォーマットのうちの１つである、ステップを含む。
【００２７】
任意選択の設計においては、複数の異なるランダムアクセスプリアンブルフォーマット内のランダムアクセスプリアンブルは、異なる長さを有する。
【００２８】
第２の態様における、および第２の態様における様々な任意選択の設計における、対応する技術的ソリューションの技術的な効果については、第１の態様における、および第１の態様における様々な任意選択の設計における、対応する技術的ソリューションの説明を参照されたい。詳細がここで説明されることはない。
【００２９】
第３の態様に従うと、本出願は、ネットワークデバイスによって、第３のメッセージをユーザ機器に送信するステップであって、第３のメッセージは、ユーザ機器の物理ランダムアクセスチャネルの候補時間領域リソースユニットのセットを示すために使用され、候補時間領域リソースユニットのセットは、複数の候補時間領域リソースユニットを含み、複数の候補時間領域リソースユニットは、第１の候補時間領域リソースユニットを含み、第１の候補時間領域リソースユニットは、アップリンク時間領域リソースを伝達するために使用される、アップリンク時間領域リソースリージョンを含む、ステップと、ネットワークデバイスによって、ユーザ機器から、第１の候補時間領域リソースユニット内において、ランダムアクセスプリアンブルを受信するステップと、ネットワークデバイスによって、ランダムアクセスプリアンブルと、アップリンク時間領域リソースリージョン内における時間領域位置との間のマッピングのモードに基づいて、第１の候補時間領域リソースユニット内におけるランダムアクセスプリアンブルの時間領域位置を決定するステップであって、マッピングのモードは、ランダムアクセスプリアンブルの最後の時間領域シンボルが、アップリンク時間領域リソースリージョンの最後の時間領域シンボルであるものである、ステップとを含む、方法を提供する。
【００３０】
第４の態様に従うと、本出願は、ユーザ機器によって、ネットワークデバイスよって送信された第３のメッセージを受信するステップであって、第３のメッセージは、ユーザ機器の物理ランダムアクセスチャネルの候補時間領域リソースユニットのセットを示すために使用され、候補時間領域リソースユニットのセットは、複数の候補時間領域リソースユニットを含み、複数の候補時間領域リソースユニットは、第１の候補時間領域リソースユニットを含み、第１の候補時間領域リソースユニットは、アップリンク時間領域リソースを伝達するために使用される、アップリンク時間領域リソースリージョンを含む、ステップと、ユーザ機器によって、第３のメッセージに基づいて、物理ランダムアクセスチャネルの候補時間領域リソースユニットのセットを決定するステップと、ユーザ機器によって、ランダムアクセスプリアンブルと、アップリンク時間領域リソースリージョン内における時間領域位置との間のマッピングのモードに基づいて、第１の候補時間領域リソースユニット内において、ランダムアクセスプリアンブルを送信するステップであって、マッピングのモードは、ランダムアクセスプリアンブルの最後の時間領域シンボルが、アップリンク時間領域リソースリージョンの最後の時間領域シンボルであるものである、ステップとを含む、方法を提供する。
【００３１】
第３の態様および第４の態様においては、ランダムアクセスプリアンブルの最後の時間領域シンボルは、アップリンク時間領域リソースリージョンの最後の時間領域シンボルと揃うように設定される。このように、ユーザ機器は、第１の候補時間領域リソースユニットの時間領域リソースユニットフォーマットを決定する必要がなく、ユーザ機器のエネルギー消費は、効果的に低減されることができ、候補時間領域リソースユニットのフォーマットを示すために、指示情報が送信される必要はなく、それによって、システムオーバヘッドを効果的に低減させる。
【００３２】
第５の態様に従うと、ネットワークデバイスが、本出願において提供され、第１の態様、第３の態様、第１の態様の任意の可能な設計、または第３の態様の任意の可能な設計における方法を実行するように構成される。具体的には、ネットワークデバイスは、第１の態様、第３の態様、第１の態様の任意の可能な設計、または第３の態様の任意の可能な設計における方法を実行するように構成された、ユニットを含む。
【００３３】
第６の態様に従うと、ユーザ機器が、本出願において提供され、第２の態様、第４の態様、第２の態様の任意の可能な設計、または第４の態様の任意の可能な設計における方法を実行するように構成される。具体的には、ユーザ機器は、第２の態様、第４の態様、第２の態様の任意の可能な設計、または第４の態様の任意の可能な設計における方法を実行するように構成された、ユニットを含む。
【００３４】
第７の態様に従うと、本出願は、送受信機と、プロセッサと、メモリとを含む、ネットワークデバイスを提供し、送受信機と、プロセッサと、メモリとは、バスシステムを使用することによって接続され得る。メモリは、プログラム、命令、またはコードを記憶するように構成される。プロセッサは、第１の態様、第３の態様、第１の態様の任意の可能な設計、または第３の態様の任意の可能な設計における方法を実行するための、メモリ内のプログラム、命令、またはコードを実行するように構成される。
【００３５】
第８の態様に従うと、本出願は、送受信機と、プロセッサと、メモリとを含む、ユーザ機器を提供し、送受信機と、プロセッサと、メモリとは、バスシステムを使用することによって接続され得る。メモリは、プログラム、命令、またはコードを記憶するように構成される。プロセッサは、第２の態様、第４の態様、第２の態様の任意の可能な設計、または第４の態様の任意の可能な設計における方法を実行するための、メモリ内のプログラム、命令、またはコードを実行するように構成される。
【００３６】
第９の態様に従うと、本出願は、コンピュータ可読記憶媒体を提供し、コンピュータ可読記憶媒体は、命令を記憶し、命令が、コンピュータ上において実行されたとき、コンピュータは、上述の態様、および上述の態様の任意の可能な設計における方法を実行することを可能にされる。
【００３７】
第１０の態様に従うと、本出願は、第５または第７の態様における任意のネットワークデバイスと、第６の態様または第８の態様における任意のユーザ機器とを含む、通信システムを提供する。
【図面の簡単な説明】
【００３８】
本出願の実施形態における技術的ソリューションをより明確に説明するために、以下では、実施形態を説明するために必要とされる添付の図面について簡潔に説明する。明らかに、以下の説明における添付の図面は、本出願のいくつかの実施形態を示しているにすぎず、当業者は、創意的な努力なしに、これらの添付の図面から他の図面を導出し得る。
【００３９】
【図１】先行技術のＴＤＤモードにおけるアップリンク−ダウンリンクサブフレーム構成の概略図である。
【図２】本出願の実施形態に従った通信方法の適用ネットワークシナリオの概略図である。
【図３】本出願の実施形態に従った通信方法の概略フローチャートである。
【図４】本出願の実施形態に従った時間領域リソースユニットフォーマットの概略図である。
【図５】本出願の実施形態に従ったランダムアクセスプリアンブルフォーマットの概略図である。
【図６】本出願の実施形態に従った通信方法の概略フローチャートである。
【図７】本出願の実施形態に従ったネットワークデバイスの概略構造図である。
【図８】本出願の実施形態に従った別のネットワークデバイスの概略構造図である。
【図９】本出願の実施形態に従ったまた別のネットワークデバイスの概略構造図である。
【図１０】本出願の実施形態に従ったユーザ機器の概略構造図である。
【図１１】本出願の実施形態に従ったまた別のユーザ機器の概略構造図である。
【図１２】本出願の実施形態に従ったまた別のユーザ機器の概略構造図である。
【発明を実施するための形態】
【００４０】
以下では、本出願の実施形態における添付の図面を参照して、本出願の実施形態における技術的ソリューションについて説明する。
【００４１】
本出願の実施形態の技術的ソリューションは、ニューラジオ（Ｎｅｗ  Ｒａｄｉｏ、ＮＲ）システム、ワイヤレスフィデリティ（Ｗｉ−Ｆｉ）システム、マイクロ波アクセス用世界的相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）システム、移動体通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ロングタームエボリューションアドバンスト（Ｌｏｎｇ  Ｔｅｒｍ  Ｅｖｏｌｕｔｉｏｎ  Ａｄｖａｎｃｅｄ、ＬＴＥ−Ａ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、第３世代パートナシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）に関連するセルラシステム、および第５世代モバイル通信システム（５ｔｈ  Ｇｅｎｅｒａｔｉｏｎ、５Ｇ）などの、様々な通信システムに適用され得る。
【００４２】
当業者による理解を容易にするため、以下では、本出願におけるいくつかの用語について説明および記述する。
【００４３】
（１）アクセスネットワークデバイスと呼ばれることもある、本出願における「ネットワークデバイス」は、ｇＮＢ（ｇノードＢ）であり得、共通基地局（例えば、ＷＣＤＭＡシステムにおけるノードＢ（ＮｏｄｅＢ、ＮＢ）、ＬＴＥシステムにおける進化型ノードＢ（ｅｖｏｌｖｅｄ  ＮｏｄｅＢ、ｅＮＢもしくはｅＮｏｄｅＢ）、ＧＳＭもしくはＣＤＭＡシステムにおける基地送受信機局（Ｂａｓｅ  Ｔｒａｎｓｃｅｉｖｅｒ  Ｓｔａｔｉｏｎ、ＢＴＳ））であり得、ニューラジオコントローラ（Ｎｅｗ  Ｒａｄｉｏ  ｃｏｎｔｒｏｌｌｅｒ、ＮＲ  ｃｏｎｔｒｏｌｌｅｒ）であり得、集中型ユニット（Ｃｅｎｔｒａｌｉｚｅｄ  Ｕｎｉｔ）であり得、ニューラジオ基地局であり得、リモート無線モジュールであり得、モビリティ管理エンティティ（ｍｏｂｉｌｉｔｙ  ｍａｎａｇｅｍｅｎｔ  ｅｎｔｉｔｙ、ＭＭＥ）であり得、マイクロ基地局であり得、分散型ユニット（Ｄｉｓｔｒｉｂｕｔｅｄ  Ｕｎｉｔ）であり得、送受信ポイント（Ｔｒａｎｓｍｉｓｓｉｏｎ  Ｒｅｃｅｐｔｉｏｎ  Ｐｏｉｎｔ、ＴＲＰ）もしくは送信ポイント（Ｔｒａｎｓｍｉｓｓｉｏｎ  Ｐｏｉｎｔ、ＴＰ）であり得、もしくはクラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラであり得、またはネットワークデバイスは、中継局、アクセスポイント、車両デバイス、ウェアラブルデバイス、将来の５Ｇネットワークにおけるネットワークデバイス、将来の進化型ＰＬＭＮネットワークにおけるネットワークデバイス、もしくは他の任意の無線アクセスデバイスであり得る。本出願の実施形態は、それらに限定されない。
【００４４】
（２）端末デバイスと呼ばれることもある、本出願における「ユーザ機器（ＵＥ）」は、無線端末デバイスであり得、または有線端末デバイスであり得る。無線端末デバイスは、音声および／もしくはデータ接続性をユーザに提供するデバイス、無線接続機能を有するハンドヘルドデバイス、または無線モデムに接続された別の処理デバイスであり得る。無線端末デバイスは、無線アクセスネットワーク（Ｒａｄｉｏ  Ａｃｃｅｓｓ  Ｎｅｔｗｏｒｋ、ＲＡＮ）を通して、１つまたは複数のコアネットワークと通信し得る。無線端末デバイスは、例えば、（「セルラ」フォンとも呼ばれる）モバイルフォン、およびモバイル端末デバイスを有するコンピュータなどの、モバイル端末デバイスであり得、音声および／またはデータを無線アクセスネットワークと交換する、ポータブル、ポケットサイズ、ハンドヘルド、コンピュータビルトイン、または車載モバイル装置であり得る。例えば、無線端末デバイスは、パーソナル通信サービス（Ｐｅｒｓｏｎａｌ  Ｃｏｍｍｕｎｉｃａｔｉｏｎｓ  Ｓｅｒｖｉｃｅ、ＰＣＳ）フォン、コードレス電話セット、セッション開始プロトコル（Ｓｅｓｓｉｏｎ  Ｉｎｉｔｉａｔｉｏｎ  Ｐｒｏｔｏｃｏｌ、ＳＩＰ）フォン、無線ローカルループ（Ｗｉｒｅｌｅｓｓ  Ｌｏｃａｌ  Ｌｏｏｐ、ＷＬＬ）局、またはパーソナルデジタルアシスタント（Ｐｅｒｓｏｎａｌ  Ｄｉｇｉｔａｌ  Ａｓｓｉｓｔａｎｔ、ＰＤＡ）などの、デバイスであり得る。無線端末は、システム、加入者ユニット（Ｓｕｂｓｃｒｉｂｅｒ  Ｕｎｉｔ、ＳＵ）、加入者局（Ｓｕｂｓｃｒｉｂｅｒ  Ｓｔａｔｉｏｎ、ＳＳ）、移動局（Ｍｏｂｉｌｅ  Ｓｔａｔｉｏｎ、ＭＳ）、モバイルコンソール（Ｍｏｂｉｌｅ  ｃｏｎｓｏｌｅ）、リモート局（Ｒｅｍｏｔｅ  Ｓｔａｔｉｏｎ、ＲＳ）、アクセスポイント（Ａｃｃｅｓｓ  Ｐｏｉｎｔ、ＡＰ）、リモート端末（Ｒｅｍｏｔｅ  Ｔｅｒｍｉｎａｌ、ＲＴ）、アクセス端末（Ａｃｃｅｓｓ  Ｔｅｒｍｉｎａｌ、ＡＴ）、ユーザ端末（Ｕｓｅｒ  Ｔｅｒｍｉｎａｌ、ＵＴ）、ユーザエージェント（Ｕｓｅｒ  Ａｇｅｎｔ、ＵＡ）、ユーザデバイス（Ｕｓｅｒ  Ｄｅｖｉｃｅ、ＵＤ）、またはユーザ機器（Ｕｓｅｒ  Ｅｑｕｉｐｍｅｎｔ、ＵＥ）と呼ばれることもある。
【００４５】
（３）動的時分割複信（Ｄ−ＴＤＤ）は、ネットワークデバイスが、アップリンクリソースおよびダウンリンクリソースについての異なるサービスの要件に基づいて、ＴＤＤアップリンク−ダウンリンク時間領域リソースユニット構成を動的に調整することを意味する。言い換えると、セルのアップリンクおよびダウンリンクリソースが、ネットワークサイドによって動的に決定され、既存のＬＴＥシステムのＴＤＤモードにおいて定義された７つのＴＤＤアップリンク−ダウンリンクサブフレーム構成などの、事前定義された限られたアップリンク−ダウンリンク時間領域リソースユニット構成は、存在しない。
【００４６】
（４）時間領域リソースユニットは、時間領域における事前設定された送信時間期間、または時間領域における事前設定された送信時間間隔である。送信時間期間は、物理レイヤにおいて時間領域リソースを割り当てるための持続時間パラメータであり、物理レイヤにおける時間領域リソースの単位概念、例えば、ＬＴＥシステムにおけるサブフレーム（ｓｕｂｆｒａｍｅ）パラメータである。このケースにおいては、時間領域リソースユニットは、スロット（ｓｌｏｔ）、サブフレーム、もしくはミニスロット（ｍｉｎｉ−ｓｌｏｔ）を含むユニット、または集約された複数のスロット、複数のサブフレーム、もしくは複数のミニスロット（ｍｉｎｉ−ｓｌｏｔ）を含むユニットであり得る。スロットは、時間領域において、Ｌ個の連続するＯＦＤＭシンボルを占有し得、Ｌは、ゼロよりも大きい自然数である。Ｌの値は、実際の状況に基づいて決定され得、例えば、７個または１４個のＯＦＤＭシンボルが存在し得る。小さいスロットは、ミニスロットと呼ばれることもあり、時間領域において、複数の連続するＯＦＤＭシンボルを占有し、占有される連続するＯＦＤＭシンボルの量は、小さいスロットが配置されたスロットによって占有されるＯＦＤＭシンボルの量よりも小さい。１つのスロットは、複数の小さいスロットを含み得る。送信時間間隔は、無線リンクにおいて独立して復号可能な送信の長さを指し、論理レイヤにおける時間領域リソースのための単位の概念、例えば、ＬＴＥシステムにおける送信時間間隔（Ｔｒａｎｓｍｉｓｓｉｏｎ  Ｔｉｍｅ  Ｉｎｔｅｒｖａｌ、ＴＴＩ）パラメータである。
【００４７】
（５）時間領域位置は、時間領域リソースユニットにおける時間領域シンボルの位置、例えば、直交周波数分割多重（英語：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルの位置である。
【００４８】
（６）時間領域リソースユニットフォーマットは、時間領域リソースユニット内に含まれるシンボルのアップリンクおよびダウンリンク分割の状況、例えば、すべてのシンボルがアップリンクシンボルであるサブフレーム、またはほとんどのシンボルがダウンリンクサブフレームであり、わずかなシンボルがアップリンクサブフレームであるサブフレーム、またはわずかなシンボルがダウンリンクサブフレームであり、ほとんどのシンボルがアップリンクサブフレームであるサブフレームを指す。
【００４９】
本出願の実施形態において、別段の指摘がない限り、「第１」、「第２」、「第３」、および「第４」などの序数は、複数のものを区別するために使用され、複数のものの順序、時系列、優先順位、または重要性を限定することは意図されていない。
【００５０】
本出願においては、「ネットワーク」、「システム」、および「無線ネットワーク」という用語は、通常は交換可能に使用され、「ユーザ機器」、「端末」、および「端末デバイス」という用語は、通常は交換可能に使用され、用語の意味は、当業者によって理解されることができる。
【００５１】
本出願の実施形態の技術的ソリューションの理解を容易にするため、既存のＬＴＥ通信システムにおいてランダムアクセスリソースを割り当てるためのソリューションが、最初に導入される。図１は、３ＧＰＰの拡張された干渉管理およびトラフィック適応（ｅｎｈａｎｃｅｄ  Ｉｎｔｅｒｆｅｒｅｎｃｅ  Ｍａｎａｇｅｍｅｎｔ  ａｎｄ  Ｔｒａｆｆｉｃ  Ａｄａｐｔａｔｉｏｎ、ｅＩＭＴＡ）プロトコルにおいて定義された、７つのＴＤＤアップリンク−ダウンリンクサブフレーム構成の概略図である。ＬＴＥ通信システムのランダムアクセス手順においては、基地局が、高位レイヤメッセージ（ＳＩＢ２ブロードキャストメッセージ）を使用することによって、セル内のＵＥに、セルにおける物理ランダムアクセスチャネルＰＲＡＣＨの利用可能な時間−周波数リソースのセットを通知する。表１は、ランダムアクセスのために使用され得、現行の３ＧＰＰ３６．２１１におけるＴＤＤフレーム構造のために定義された、時間−周波数リソースリストを示している。表における各行は、１つのランダムアクセスリソース構成を表し、ランダムアクセスリソース構成は、インデックス番号（ＰＲＡＣＨ構成インデックス）によって、具体的に示され、異なるアップリンク−ダウンリンクサブフレーム構成（Ｕｐ  Ｌｉｎｋ／Ｄｏｗｎ  Ｌｉｎｋ  ｃｏｎｆｉｇｕｒａｔｉｏｎ、ＵＬ／ＤＬ  ｃｏｎｆｉｇｕｒａｔｉｏｎ）における各ランダムアクセスリソース構成は、明確な定義を有する。表における各４要素グループ
【００５２】
【数１】
0006910483.tif 000002
【００５３】
は、１つの具体的なランダムアクセスリソースを一意的に指定する。要素グループ内の第１の要素ｆRAは、ランダムアクセスリソースにおける周波数領域リソースを示すために使用される。例えば、要素グループ（０，１，０，２）の第１の要素０は、ランダムアクセスリソースにおける周波数領域リソースが、インデックスが０である周波数領域リソースであることを示すために使用される。第２の要素
【００５４】
【数２】
0006910483.tif 000003
【００５５】
は、プリアンブル（ｐｒｅａｍｂｌｅ）を送信するために使用されるシステムフレームを示すために使用される。
【００５６】
【数３】
0006910483.tif 000004
【００５７】
であるとき、それは、すべてのシステムフレームが、プリアンブルを送信するために使用されることができることを示す。
【００５８】
【数４】
0006910483.tif 000005
【００５９】
であるとき、それは、偶数のシステムフレームが、プリアンブルを送信するために使用されることができることを示す。
【００６０】
【数５】
0006910483.tif 000006
【００６１】
であるとき、それは、奇数のシステムフレームが、プリアンブルを送信するために使用されることができることを示す。第３の要素
【００６２】
【数６】
0006910483.tif 000007
【００６３】
は、プリアンブルが、システムフレームの第１の半フレーム内に配置されるか、それとも第２の半フレーム内に配置されるかを示すために使用される。
【００６４】
【数７】
0006910483.tif 000008
【００６５】
であるとき、それは、プリアンブルが、システムフレームの第１の半フレーム内に配置されることを示す。
【００６６】
【数８】
0006910483.tif 000009
【００６７】
であるとき、それは、プリアンブルが、システムフレームの第２の半フレーム内に配置されることを示す。第４の要素
【００６８】
【数９】
0006910483.tif 000010
【００６９】
は、プリアンブルの開始アップリンクサブフレームインデックスを指定するために使用され、サブフレームインデックスは、２つの連続するダウンリンク−アップリンク切り換えポイント（ｄｏｗｎｌｉｎｋ−ｔｏ−ｕｐｌｉｎｋ  ｓｗｉｔｃｈ  ｐｏｉｎｔｓ）の間に配置され、カウントは、０から開始する。プリアンブルフォーマットＰｒｅａｍｂｌｅ  Ｆｏｒｍａｔ４は、例外であり、プリアンブルフォーマット４の
【００７０】
【数１０】
0006910483.tif 000011
【００７１】
は、（＊）マークで示されている。インデックス番号（ＰＲＡＣＨ構成インデックス）は、高位レイヤシグナリング（ＳＩＢ２ブロードキャストメッセージ）によって、半静的に提供される。
【００７２】
現行のＬＴＥ通信システムのＴＤＤ技術においては、基地局が、インデックス番号（ＰＲＡＣＨ構成インデックス）を半静的に指定した後、ＵＥが、異なるアップリンク−ダウンリンクサブフレーム構成に対応するランダムアクセスリソースを決定し得ることが、表１から分かる。具体的には、ＵＥは、テーブルを検索することによって、ランダムアクセス手順が開始されるべき時間−周波数リソースを決定するために、基地局によって送信された事前設定されたアップリンク−ダウンリンクサブフレーム構成を受信する必要がある。しかしながら、将来の通信システム（例えば、第５世代（５ｔｈ  Ｇｅｎｅｒａｔｉｏｎ、５Ｇ）ネットワーク通信システム、５Ｇ通信システムの関連技術の公式名称は、現行の規格においては、ニューラジオ（Ｎｅｗ  Ｒａｄｉｏ、ＮＲ）技術である）においては、限られた無線リソースをより効率的に使用するために、動的時分割複信（Ｄｙｎａｍｉｃ−Ｔｉｍｅ  Ｄｉｖｉｓｉｏｎ  Ｄｕｐｌｅｘｉｎｇ、Ｄ−ＴＤＤ）技術が、無線リソース使用の柔軟性を改善するのに必要な技術になる。Ｄ−ＴＤＤ技術においては、セルのアップリンクリソースおよびダウンリンクリソースは、ネットワークサイドによって動的に決定される。言い換えると、事前定義された限られたアップリンク−ダウンリンクサブフレーム構成は存在せず、このケースにおいては、ランダムアクセスリソースを示すインデックス番号を半静的に提供するために高位レイヤのシグナリングが使用される既存のソリューションは、もはや適用可能ではない。
【００７３】
【表１−１】
0006910483.tif 000012
【００７４】
【表１−２】
0006910483.tif 000013
【００７５】
先行技術を背景として、本出願の実施形態は、将来の通信システムにおいて物理ランダムアクセスチャネルの時間領域リソースを動的に示すための、通信方法、ネットワークデバイス、およびユーザ機器を提供する。図２は、本出願の実施形態に従った例示的な通信システムのシステムアーキテクチャの図である。通信システムは、コアネットワークデバイスと、ネットワークデバイスと、ユーザ機器とを含む。ネットワークデバイスは、ユーザ機器に通信サービスを提供し、コアネットワークにアクセスするように構成される。ユーザ機器は、ネットワークデバイスによって送信された同期信号およびブロードキャスト信号などを探索することによって、ネットワークにアクセスする。例示的な通信システムは、例えば、ＬＴＥ通信システムであり得、または５ＧニューラジオＮＲ技術が使用される、将来の通信システムであり得る。ＬＴＥ通信システムが、例として使用される。コアネットワークデバイスは、例えば、モビリティ管理エンティティ（Ｍｏｂｉｌｉｔｙ  Ｍａｎａｇｅｍｅｎｔ  Ｅｎｔｉｔｙ、ＭＭＥ）、またはサービングゲートウェイ（Ｓｅｒｖｉｎｇ  ＧａｔｅＷａｙ、Ｓ−ＧＷ）を含み得、ＭＭＥは、シグナリング処理部分、すなわち、アクセス制御、モビリティ管理、アタッチおよびデタッチ、セッション管理、ならびにゲートウェイ選択などの機能を含む、コントロールプレーン機能を主に担当する。Ｓ−ＧＷは、ユーザデータを転送する、すなわち、ＭＭＥの制御下においてデータパケットをルーティングおよび転送する、ユーザプレーン機能を主に担当する。ネットワークデバイスは、エアインターフェースサイドにおける、無線リソース管理、サービス品質（Ｑｕａｌｉｔｙ  ｏｆ  Ｓｅｒｖｉｃｅ、ＱｏＳ）管理、データ圧縮、および暗号化などの機能のうちの少なくとも１つを主に担当する。コアネットワークサイドに対して、ネットワークデバイスは、ＭＭＥにコントロールプレーンシグナリングを転送すること、およびＳ−ＧＷにユーザプレーンサービスデータを転送することを主に担当する。
【００７６】
図２に示されるシナリオにおいては、１つのネットワークデバイスと、１つのユーザ機器と、１つのコアネットワークデバイスとの間の対話は、説明のための例として使用されたにすぎず、本出願における適用シナリオに対する限定を構成しないことが、留意されるべきである。実際のネットワークアーキテクチャは、複数のネットワークデバイスと、複数のユーザ機器とを含み得る。例えば、１つのユーザ機器は、ただ１つのネットワークデバイスとのデータ送信を実行し得、または複数のネットワークデバイスとのデータ送信を実行し得る。１つのネットワークデバイスは、１つのユーザ機器とのデータ送信を実行し得、または複数のユーザ機器とのデータ送信を実行し得る。これは、本出願において、特に限定されない。
【００７７】
当業者による理解を容易にするため、以下では、添付の図面を参照して、本出願の実施形態を詳細に説明する。
【００７８】
図３に示されるように、本出願の実施形態は、通信方法１００を提供し、通信方法１００は、動的ＴＤＤモードにおいて使用され得る。方法１００は、図２に示されるシナリオに適用され得る。
【００７９】
Ｓ１０１。ネットワークデバイスは、第１のメッセージをユーザ機器に送信する。
【００８０】
具体的には、第１のメッセージは、ユーザ機器の物理ランダムアクセスチャネルの候補時間領域リソースユニットのセットを示すために使用され、候補時間領域リソースユニットのセットは、複数の候補時間領域リソースユニットを含む。
【００８１】
具体的な実装においては、第１のメッセージは、例えば、システム情報（例えば、ＳＩＢ）、高位レイヤシグナリング、または他の専用シグナリングであり得、高位レイヤシグナリングは、例えば、無線リソース制御ＲＲＣシグナリング、またはＭＡＣシグナリングであり得る。これは、本出願において、特に限定されない。第１のメッセージによって候補時間領域リソースユニットのセットを示す方式については、以下の具体的な説明を参照されたい。
【００８２】
ネットワークデバイスは、アップリンクおよびダウンリンクリソーススケジューリングの状況に基づいて、候補時間領域リソースユニットのセットを決定し得る。ネットワークデバイスは、代替として、事前定義されたルールに従って、候補時間領域リソースユニットのセットを決定し得、例えば、異なるサービス要件に基づいて、事前設定された条件を満たす複数の時間領域リソースユニットを含むセットを、候補時間領域リソースユニットのセットとして決定し得る。ネットワークデバイスが候補時間領域リソースユニットのセットを決定する具体的な方式は、本出願において、特に限定されない。
【００８３】
Ｓ１０２。ネットワークデバイスは、第２のメッセージをユーザ機器に送信し、第２のメッセージは、複数の候補時間領域リソースユニットのうちの第１の候補時間領域リソースユニットの時間領域リソースユニットフォーマットを示すために使用される。
【００８４】
具体的には、第２のメッセージは、第１の指示情報を搬送し、第１の指示情報は、第１の時間領域リソースユニットの時間領域リソースユニットフォーマットを示すために使用される。候補時間領域リソースユニットは、アップリンク時間領域リソースリージョンを含み、時間領域リソースユニットフォーマットは、複数の時間領域リソースユニットフォーマットのうちの１つであり、複数の時間領域リソースユニットフォーマットに含まれるアップリンク時間領域リソースリージョンは、異なるサイズを有する。
【００８５】
第１の時間領域リソースユニットの時間領域リソースユニットフォーマットは、ランダムアクセスプリアンブル（ｐｒｅａｍｂｌｅ）フォーマットを決定するために、ユーザ機器によって使用され得、または第１の時間領域リソースユニット内におけるランダムアクセスプリアンブルの時間領域位置を決定するために、ユーザ機器によって使用され得る。
【００８６】
具体的な実装においては、第２のメッセージは、物理レイヤ制御シグナリング、または他の専用シグナリングであり得る。これは、本出願において、特に限定されない。第１の指示情報は、第１の候補時間領域リソースユニット内の物理レイヤ制御シグナリングにおいて搬送され得、または第１の時間領域リソースユニットに先行する第ｐの時間領域リソースユニット内の物理レイヤ制御情報において搬送され得、ここで、ｐは、０以上の整数である。物理レイヤ制御シグナリングは、具体的には、共有物理レイヤダウンリンク制御シグナリングであり得、またはグループ物理レイヤダウンリンク制御シグナリングであり得る。第２のメッセージが、共有物理レイヤダウンリンク制御シグナリングであるとき、ネットワークデバイスは、セル内のすべてのユーザ機器に、第１の指示情報を送信する。第２のメッセージが、グループ物理レイヤダウンリンク制御シグナリングであるとき、ネットワークデバイスは、セル内のいくつかのユーザ機器に、第１の指示情報を送信する。物理レイヤ制御シグナリングは、例えば、ＬＴＥシステムにおけるダウンリンク制御情報（英語：Ｄｏｗｎｌｉｎｋ  Ｃｏｎｔｒｏｌ  Ｉｎｆｏｒｍａｔｉｏｎ、ＤＣＩ）であり得る。
【００８７】
第１の指示情報は、識別情報を搬送するビット（０または１）であり得、ビットは、第１の時間領域リソースユニットフォーマットを示すために使用される。例えば、ビットに対応する識別情報シーケンス００１は、図４に示される時間領域リソースユニットの第１のタイプのフォーマット１を示すために使用され、ビットに対応する識別情報シーケンス０１０は、図４に示される時間領域リソースユニットの第２のタイプのフォーマット２を示すために使用される。これは、本出願において、特に限定されない。第１の指示情報は、代替として、例えば、０または１を含む識別情報を搬送する複数のビットであり得、各ビットは、事前構成された時間領域リソースユニットフォーマットに対応する。各ビットが０または１に設定されたとき、それは、第１の時間領域リソースユニットのために使用されるフォーマットを示す。例えば、３つの時間領域リソースユニットフォーマット、例えば、図４に示される３つの時間領域リソースユニットフォーマットが、システムにおいて事前定義され、このケースにおいては、第１の指示情報は、３つのビットを含み、３つのビットは、例えば、それぞれ、Ｌビット、Ｍビット、およびＮビットとして定義され、Ｌビット、Ｍビット、およびＮビットは、それぞれ、フォーマット１、フォーマット２、およびフォーマット３に対応する。例えば、Ｌビットが１に設定され、ＭビットおよびＮビットが０に設定されたとき、それは、第１の時間領域リソースユニットのために、フォーマット１が使用されることを示し、ＬビットおよびＮビットが０に設定され、Ｍビットが１に設定されたとき、それは、第１の時間領域リソースユニットのために、フォーマット２が使用されることを示す。当然、Ｌビットが０に設定され、ＭおよびＮビットが１に設定されることが、第１の時間領域リソースユニットのためにフォーマット１が使用されることを示すために、代替として使用され得、ＬビットおよびＮビットが１に設定され、Ｍビットが０に設定されたとき、それは、第１の時間領域リソースユニットのために、フォーマット２が使用されることを示す。ビット０またはビット１によって表される意味は、本出願において、特に限定されない。第１の指示情報は、代替として、例えば、第１の時間領域リソースユニットのために使用される、時間領域リソースユニットフォーマットのインデックスであり得る。例えば、「１」は、第１の時間領域リソースユニットのために使用される時間領域リソースユニットフォーマットが、図４に示されるフォーマット１であることを示す。第１の指示情報の具体的な形式は、本出願において、特に限定されない。
【００８８】
Ｓ１０３。ユーザ機器は、第１のメッセージおよび第２のメッセージを受信する。
【００８９】
ユーザ機器は、第１のメッセージに基づいて、物理ランダムアクセスチャネルの候補時間領域リソースユニットのセットを決定し、候補時間領域リソースユニットのセットは、複数の候補時間領域リソースユニットを含む。ユーザ機器は、複数の候補時間領域リソースユニットのうちの１つの候補時間領域リソースユニットを、第１の時間領域リソースユニットとして決定する。
【００９０】
Ｓ１０４。ユーザ機器は、時間領域リソースユニットフォーマットに基づいて、第１の候補時間領域リソースユニット内において、ランダムアクセスプリアンブルをネットワークデバイスに送信する。
【００９１】
第１の時間領域リソースユニットの時間領域リソースユニットフォーマットは、ランダムアクセスプリアンブル（ｐｒｅａｍｂｌｅ）フォーマットを決定するために、ユーザ機器によって使用され得、または第１の時間領域リソースユニット内におけるランダムアクセスプリアンブルの時間領域位置を決定するために、ユーザ機器によって使用され得る。以下では、具体的な説明を提供する。
【００９２】
任意選択の実装においては、Ｓ１０４は、Ｓ１０４ａであり得る。ユーザ機器は、第１の候補時間領域ユニットの時間領域リソースユニットフォーマットに対応する第１のマッピング方式に基づいて、第１の候補時間領域リソースユニット内において、ランダムアクセスプリアンブルを、ネットワークデバイスに送信する。第１のマッピング方式は、複数の第１のマッピングモードのうちの１つである。第１のマッピング方式は、ランダムアクセスプリアンブルと、アップリンク時間領域リソースリージョン内における時間領域位置との間のマッピングの方式を含む。
【００９３】
ユーザ機器は、第２のメッセージに基づいて、第１の時間領域リソースユニットの時間領域リソースユニットフォーマットを決定する。ユーザ機器は、第１の時間領域リソースユニットの時間領域リソースユニットフォーマットに基づいて、ランダムアクセスプリアンブルフォーマットを決定する。
【００９４】
本出願の具体的な実装においては、候補時間領域リソースユニットのセットのうちのすべての候補時間領域リソースユニットは、同じフォーマットを有し、ユーザ機器は、事前構成されたプリアンブルフォーマットに基づいて、候補時間領域リソースユニットのセットから、いずれかの候補時間領域リソースユニットを、第１の時間領域リソースユニットとして選択する。
【００９５】
本出願においては、時間領域リソースユニットは、限定されることなく、ＵＬ限定時間領域リソースユニット、ＵＬ優勢時間領域リソースユニット、またはＤＬ優勢時間領域リソースユニットなどの、アップリンク時間領域リソースリージョンを含む時間領域リソースユニットを含み、アップリンク時間領域リソースリージョンは、アップリンクリソース送信シンボルを含み、アップリンク時間領域リソースを構成するために使用される。図４は、いくつかの可能な時間領域リソースユニットフォーマットを概略的に示している。図４を参照すると、ＵＬ限定時間領域リソースユニットにおいては、時間領域リソースユニット全体のすべての時間領域シンボルは、アップリンクリソースを伝達するために使用される。ＵＬ優勢時間領域リソースユニットにおいては、アップリンクリソースを伝達するために使用される時間領域シンボルの量は、ダウンリンクリソースを伝達するために使用される時間領域シンボルの量よりも大きく、ＤＬ優勢時間領域リソースユニットにおいては、ダウンリンクリソースを伝達するために使用される時間領域シンボルの量は、アップリンクリソースを伝達するために使用される時間領域シンボルの量よりも大きい。
【００９６】
本出願の別の具体的な実装においては、候補時間領域リソースユニットのセットのうちの少なくとも２つの候補時間領域リソースユニットは、異なる時間領域リソースユニットフォーマットを有する。異なる時間領域リソースユニットフォーマットは、例えば、図４に示される異なるフォーマットであり得る。
【００９７】
本出願においては、ユーザ機器は、１つまたは複数のプリアンブルフォーマットを使用することができる。１つまたは複数のプリアンブルフォーマットは、ユーザ機器のために、事前構成方式で構成され得、またはユーザ機器によって使用されることができる１つまたは複数のプリアンブルフォーマットを示すために、指示情報が、ネットワークデバイスからユーザ機器に送信され得る。具体的な実装においては、第１のメッセージは、第１の指示フィールドをさらに搬送し得、第１の指示フィールドは、ユーザ機器によって使用されることができる少なくとも１つのランダムアクセスプリアンブルフォーマットを示すために使用される。第１の指示フィールドは、識別情報を搬送するビット（０または１）であり得、ビットは、プリアンブルの少なくとも１つのフォーマットを示すために使用される。例えば、ビットに対応する識別情報シーケンス００１は、図５に示されるプリアンブルのフォーマット１を示すために使用され、ビットに対応する識別情報シーケンス０１０は、図５に示される第２のプリアンブルのフォーマット２を示すために使用される。これは、本出願において、特に限定されない。第１の指示フィールドは、代替として、例えば、識別情報を搬送する複数のビット（０または１）であり得、各ビットは、事前構成されたプリアンブルフォーマットに対応する。各ビットが、０または１に設定されたとき、それは、ユーザ機器が対応するプリアンブルフォーマットを使用することができるかどうかを示す。例えば、ユーザ機器が、３つのプリアンブルフォーマット、すなわち、図５に示される３つのプリアンブルフォーマットを使用することができることが、システムにおいて事前定義され、このケースにおいては、第１の指示フィールドは、３つのビットを含み、３つのビットは、例えば、それぞれ、Ｓビット、Ｋビット、およびＷビットとして定義され、Ｓビット、Ｋビット、およびＮビットは、それぞれ、フォーマット１、フォーマット２、およびフォーマット３に対応する。Ｓビットが、例として使用される。Ｓビットが１に設定されたとき、それは、ユーザ機器がフォーマット１を使用することができることを示し、Ｓビットが０に設定されたとき、それは、ユーザ機器がフォーマット１を使用することができないことを示す。当然、Ｓビットが１に設定されることが、ユーザ機器がフォーマット１を使用することができないことを示すために代替として使用され得、Ｓビットが０に設定されることが、ユーザ機器がフォーマット１を使用することができることを示すために使用され得る。ビット０またはビット１によって表される意味は、本出願において、特に限定されない。
【００９８】
本出願の具体的な実装においては、ユーザ機器が、複数のプリアンブルフォーマットを使用することができるとき、ユーザ機器は、ランダムアクセスプリアンブルの複数のフォーマットと、複数の時間領域リソースユニットフォーマットとの間のマッピング関係に基づいて、第１の時間領域リソースユニットの時間領域リソースユニットフォーマットに対応するランダムアクセスプリアンブルフォーマットを決定し得る。
【００９９】
具体的には、ランダムアクセスプリアンブルの複数のフォーマットと、複数の時間領域リソースユニットフォーマットとの間に、１対１のマッピングが存在する。例えば、図５に示されるフォーマット１は、図４に示されるフォーマット３に対応し得る。第１の時間領域リソースユニットのフォーマットが、図４に示されるフォーマット３であると、ユーザ機器が決定したとき、図５に示されるフォーマット１がランダムアクセスプリアンブルを搬送するために使用されることが決定され得る。
【０１００】
任意選択の実装においては、Ｓ１０４は、Ｓ１０４ｂであり得る。ユーザ機器は、第１の候補時間領域ユニットの時間領域リソースユニットフォーマットに対応するランダムアクセスプリアンブルフォーマットに基づいて、第１の候補時間領域リソースユニット内において、ランダムアクセスプリアンブルを、ネットワークデバイスに送信し、ランダムアクセスプリアンブルフォーマットは、複数の異なるランダムアクセスプリアンブルフォーマットのうちの１つである。
【０１０１】
以下では、第１の時間領域リソースユニットのアップリンク時間領域リソースリージョン内におけるランダムアクセスプリアンブルの時間領域位置を決定する方式について具体的に説明する。具体的な実装においては、アップリンク時間領域リソースリージョン内におけるランダムアクセスプリアンブルの時間領域位置は、ランダムアクセスプリアンブルと、アップリンク時間領域リソースリージョンとの間のマッピングモードに基づいて、決定され得る。ランダムアクセスプリアンブルと、アップリンク時間領域リソースリージョンとの間のマッピングモードは、限定されることなく、以下のモードを含む。
【０１０２】
モード１：ランダムアクセスプリアンブルの第１の時間領域シンボルが、アップリンク時間領域リソースリージョンの第１の時間領域シンボルに関して、Ｍ個の時間領域シンボルだけシフトされ、Ｍは、０以上の整数である。
【０１０３】
モード１においては、異なる時間領域リソースユニットフォーマットに関して、オフセット値Ｍの値は、異なり得、オフセット値の大きさは、事前定義され得る。
【０１０４】
モード２：すべての異なる時間領域リソースユニットフォーマットに関して、ランダムアクセス情報の開始時間領域位置がアップリンク時間領域リソースリージョンの第１の時間領域シンボルに関してシフトされる値は、０である。具体的には、ランダムアクセスリソースを送信するために使用されることができる、異なる時間領域リソースユニットフォーマットの各々について、ランダムアクセスリソースは、アップリンク時間領域リソースリージョン内における第１の時間領域シンボルからマッピングされる。言い換えると、プリアンブルの第１の時間領域シンボルは、アップリンク時間領域リソースリージョンの第１の時間領域シンボルと揃えられる。
【０１０５】
モード３：アップリンク時間領域リソースリージョンは、第１の時間領域リソースリージョンと、第２の時間領域リソースリージョンとを含む。モード２に基づいて、第１の時間領域リソースリージョンは、ランダムアクセスプリアンブルを伝達するために使用され、第２の時間領域リソースリージョンは、ガードタイムＧＴとして使用される。
【０１０６】
モード４：ランダムアクセスプリアンブルの最後の時間領域シンボルは、アップリンク時間領域リソースリージョンの最後の時間領域シンボルと揃えられる。このケースにおいては、ランダムアクセスリソースを送信するために使用されることができる、異なる時間領域リソースユニットの各々について、モード４は、ユーザ機器が、第１の時間領域リソースユニットフォーマットを検出する必要がないように、プリアンブルの時間領域位置を決定するために使用される。
【０１０７】
動的ＴＤＤモードにおいては、第１のメッセージは、ユーザ機器の物理ランダムアクセスチャネルの候補時間領域リソースユニットのセットを示すために使用される。このケースにおいては、ユーザ機器は、ランダムアクセス情報を搬送するために使用される、ＰＲＡＣＨの時間領域リソースを決定するために、第１のメッセージの指示に基づいて、候補時間領域リソースユニットのセットのうちの１つの候補時間領域リソースユニットを、第１の時間領域リソースユニットとして決定し得る。このように、アップリンク−ダウンリンクサブフレーム構成は、事前定義される必要はなく、通信システムにおけるランダムアクセスリソースの動的指示についての要件が満たされることができ、それによって、ランダムアクセスリソース割り当ての柔軟性を改善する。さらに、候補時間領域リソースユニットのセットは、複数の候補時間領域リソースユニットを含む。これは、大量のユーザ機器が、１つの時間領域リソースユニットにおいて同時にランダムアクセスを試みるケースを効果的に回避することができ、ユーザ機器がランダムアクセス手順においてＰＲＡＣＨリソース構成を実行するときに引き起こされる可能性がある、リソース衝突を効果的に低減させることができる。
【０１０８】
具体的な実装においては、第３のメッセージが、ランダム物理アクセスチャネルの周波数領域リソースを示すために使用され得、第３のメッセージは、例えば、システム情報（例えば、ＳＩＢ）、または高位レイヤシグナリングであり得る。高位レイヤシグナリングは、例えば、システム情報（例えば、ＳＩＢ）、高位レイヤシグナリング、もしくは専用シグナリングであり得、または高位レイヤシグナリングは、例えば、無線リソース制御ＲＲＣシグナリング、もしくはＭＡＣシグナリングであり得る。これは、本出願において、特に限定されない。
【０１０９】
以下では、第１のメッセージを使用することによって、候補時間領域リソースユニットのセットを示す方式について具体的に説明する。具体的な実装においては、第１のメッセージを使用することによって、候補時間領域リソースユニットのセットを示す方式は、限定されることなく、以下の方式を含む。
【０１１０】
方式１：ネットワークデバイスが、時間領域リソースユニットｎ内において、第１のメッセージを送信したとき、合計でｍ個の時間領域リソースユニットが、候補時間領域リソースユニットのセットとして使用され、ｍ個の時間領域リソースユニットは、時間領域リソースユニットｎからｋ個の時間領域リソースユニットだけ間隔を空けられた、時間領域リソースユニットｎ＋ｋからカウントすることによって獲得され、ｎは、０以上の整数であり、ｋは、０以上の整数であることが事前定義される。
【０１１１】
方式２：ビットマッピングモードが、候補時間領域リソースユニットのセットを示すために使用される。
【０１１２】
将来の通信システムにおいては、時間領域においてアップリンクおよびダウンリンク送信のために使用される時間ユニット（例えば、ＬＴＥにおけるシステムフレーム）は、システム時間領域リソースユニットのセットとして定義され、システム時間領域リソースユニットのセットは、複数の時間領域リソースユニットを含むことが、仮定される。第１のメッセージは、第２の指示フィールドを含み、第２の指示フィールドは、候補時間領域リソースユニットのセットを示すために使用される。第２の指示フィールドは、例えば、第１のメッセージ内において識別情報を搬送する、複数のビット（０または１）であり得る。第２の指示フィールド内に含まれる複数のビットは、システム時間領域リソースユニットのセット内に含まれる複数の時間領域リソースユニットと１対１に対応する。例えば、対応するビットが、１に設定されたとき、それは、ビットに対応する時間領域リソースユニットが、候補時間領域リソースユニットであることを示し、対応するビットが、０に設定されたとき、それは、ビットに対応する時間領域リソースユニットが、候補時間領域リソースユニットでないことを示す。当然、ビットが０または１に設定されることは、代替として、反対の意味を示し得る。これは、本出願において、特に限定されない。例えば、システム時間領域リソースユニットのセットは、時間領域リソースユニット１から４を含み、第２の指示フィールドは、「００１１」であり、「００」は、時間領域リソースユニット１と、時間領域リソースユニット２が、候補時間領域リソースユニットでないことを示し、「１１」は、候補時間領域リソースユニットのセットを示し、具体的には、時間領域リソースユニット３と、時間領域リソースユニット４が、候補時間領域リソースユニットである。
【０１１３】
方式３：候補時間領域リソースユニットのセットを示すために、候補時間領域リソースユニットの番号が、第１のメッセージ内において搬送される。
【０１１４】
具体的には、上述のシステム時間領域リソースユニットにおいて、各時間領域リソースユニットは、対応する時間領域リソースユニット番号を有し、例えば、第１のメッセージは、複数の第３の指示フィールドを含み得、各第３の指示フィールドは、例えば、識別情報を搬送する３つのビット（０または１）であり得、３つのビットは、候補時間領域リソースユニットの番号に対応する値Ｐを示すために使用される。例えば、０００は、Ｐ＝０に対応し、００１は、Ｐ＝１に対応し、０１０は、Ｐ＝２に対応し、０１１は、Ｐ＝３に対応し、１００は、Ｐ＝４に対応し、１０１は、Ｐ＝５に対応し、１１０は、Ｐ＝６に対応し、１１１は、Ｐ＝７に対応するなどである。詳細は、本明細書においては説明されない。第１のメッセージを受信した後、ユーザ機器は、各第３の指示フィールド内のビットに対応する識別情報シーケンスに基づいて、候補時間領域リソースユニットの対応する番号を決定し、候補時間領域リソースユニットのセットをさらに決定する。
【０１１５】
方式４：第１のメッセージは、候補時間領域リソースユニットのセットのインデックス、例えば、「１」を搬送する。このケースにおいては、候補時間領域リソースユニットのセットが、時間領域リソースユニット３と、時間領域リソースユニット４とを含むことが示される。
【０１１６】
方式５：第１のメッセージは、時間領域リソースユニット１と、時間領域リソースユニット２とを含むセットを示す、非候補時間領域リソースユニットのセットのインデックス、例えば、「２」を搬送する。このケースにおいては、ユーザ機器は、候補時間領域リソースユニットのセットが、時間領域リソースユニット３と、時間領域リソースユニット４とを含むことを決定し得る。
【０１１７】
上述の方式４および方式５を使用することによって、シグナリングオーバヘッドが、効果的に低減されることができる。
【０１１８】
方式６：候補時間領域リソースユニットのセットの異なる構成情報が、ネットワークデバイスおよびユーザ機器の各々において、事前構成され得る。例えば、構成１：候補時間領域リソースユニットのセットは、時間領域リソースユニット３と、時間領域リソースユニット４とを含み、構成２：候補時間領域リソースユニットのセットは、時間領域リソースユニット２から４を含み、構成３：候補時間領域リソースユニットのセットは、時間領域リソースユニット２と、時間領域リソースユニット３とを含む。これは、例であるにすぎず、詳細は、本明細書においては説明されない。このケースにおいては、候補時間領域リソースユニットのセットの構成情報は、第１のメッセージ内において搬送される、候補時間領域リソースユニットのセットについての構成識別子であり得、識別子は、事前構成された構成１から３のうちの１つを識別するために使用される。
【０１１９】
候補時間領域リソースユニットのセットを示すために、別の方式が使用され得ることを、当業者は理解し得、詳細は、本明細書においては説明されない。
【０１２０】
さらに、第１のメッセージは、第４の指示フィールドを含み得、第４の指示フィールドは、ランダムアクセスチャネルの周波数領域リソースを示すために使用される。第４の指示フィールドは、例えば、第１のメッセージ内において識別情報を搬送するビット（０または１）であり得、ビットは、時間領域リソースユニット内における周波数領域リソースの特定の部分が、ユーザ機器の物理ランダムアクセスチャネルの周波数領域リソースとして使用され得ることを示すために使用される。例えば、ビットに対応する識別情報シーケンス００１は、インデックスが１である周波数領域リソースが、物理ランダムアクセスチャネルの周波数領域リソースとして使用されることを示すために使用され、ビットに対応する識別情報シーケンス０１０は、インデックスが２である周波数領域リソースが、物理ランダムアクセスチャネルの周波数領域リソースとして使用されることを示すために使用される。これは、本出願において、特に限定されない。
【０１２１】
図６は、本出願の実施形態に従った通信方法３００の概略フローチャートである。方法３００は、図１に示されるシナリオに適用され得る。方法３００は、以下のステップを含む。
【０１２２】
Ｓ３０１。ネットワークデバイスは、第３のメッセージをユーザ機器に送信する。
【０１２３】
具体的には、第３のメッセージは、ユーザ機器の物理ランダムアクセスチャネルの候補時間領域リソースユニットのセットを示すために使用される。候補時間領域リソースユニットのセットは、複数の候補時間領域リソースユニットを含む。複数の候補時間領域リソースユニットは、第１の候補時間領域リソースユニットを含む。第１の候補時間領域リソースユニットは、アップリンク時間領域リソースを伝達するために使用される、アップリンク時間領域リソースリージョンを含む。
【０１２４】
Ｓ３０２。ユーザ機器は、第３のメッセージを受信する。
【０１２５】
Ｓ３０３。ユーザ機器は、物理ランダムアクセスチャネルの候補時間領域リソースユニットのセットを決定する。
【０１２６】
具体的には、第３のメッセージに基づいて、ユーザ機器によって、物理ランダムアクセスチャネルの候補時間領域リソースユニットのセットを決定する方式、および第３のメッセージを使用することによって、物理ランダムアクセスチャネルの候補時間領域リソースユニットのセットを示す方式についての具体的な説明は、上述の方法２００における、第１のメッセージに基づいて、物理ランダムアクセスチャネルの候補時間領域リソースユニットのセットを決定する方式、および第１のメッセージを使用することによって、物理ランダムアクセスチャネルの候補時間領域リソースユニットのセットを示す方式についての具体的な説明を参照されたい。詳細は、本明細書においては説明されない。
【０１２７】
Ｓ３０４。ユーザ機器は、第１の候補時間領域リソースユニット内において、ランダムアクセスプリアンブルを、ネットワークデバイスに送信する。
【０１２８】
具体的には、ユーザ機器は、ランダムアクセスプリアンブルと、アップリンク時間領域リソースリージョン内における時間領域位置との間のマッピングのモードに基づいて、第１の候補時間領域リソースユニット内において、ランダムアクセスプリアンブルを送信し、マッピングのモードは、ランダムアクセスプリアンブルの最後の時間領域シンボルが、アップリンク時間領域リソースリージョンの最後の時間領域シンボルであるものである。
【０１２９】
Ｓ３０５。ネットワークデバイスは、ユーザ機器から、第１の候補時間領域リソースユニット内において、ランダムアクセスプリアンブルを受信する。
【０１３０】
具体的には、ネットワークデバイスは、ランダムアクセスプリアンブルと、アップリンク時間領域リソースリージョン内における時間領域位置との間のマッピングのモードに基づいて、第１の候補時間領域リソースユニット内におけるランダムアクセスプリアンブルの時間領域位置を決定し、マッピングのモードは、ランダムアクセスプリアンブルの最後の時間領域シンボルが、アップリンク時間領域リソースリージョンの最後の時間領域シンボルであるものである。
【０１３１】
方法３００においては、ランダムアクセスプリアンブルの最後の時間領域シンボルが、アップリンク時間領域リソースリージョンの最後の時間領域シンボルと揃うように設定される。このように、ユーザ機器は、第１の候補時間領域リソースユニットの時間領域リソースユニットフォーマットを決定する必要がなく、ユーザ機器のエネルギー消費は、効果的に低減されることができ、候補時間領域リソースユニットのフォーマットを示すために、指示情報が、送信される必要がなく、それによって、システムオーバヘッドを効果的に低減させる。
【０１３２】
以下では、添付の図面を参照して、上述の方法実施形態に対応する装置について説明する。
【０１３３】
図７は、本出願の実施形態に従ったネットワークデバイス４００の概略図である。ネットワークデバイス４００は、図１に示されるシナリオに適用され得、図３または図６に対応する方法を実行するように構成される。図４に示されるように、ネットワークデバイス４００は、処理ユニット４０１と、送受信機ユニット４０２とを含む。送受信機ユニットは、具体的には、方法２００または方法３００においてネットワークデバイスによって実行される、様々なタイプの情報送信および受信を実行するように構成され得、処理ユニット４０１は、具体的には、方法２００または方法３００におけるネットワークデバイスによる情報送信および受信とは異なる他の処理を実行するように構成される。
【０１３４】
例えば、送受信機ユニット４０２は、第１のメッセージおよび第２のメッセージをユーザ機器に送信するように構成され得る。第１のメッセージは、ユーザ機器の物理ランダムアクセスチャネルの候補時間領域リソースユニットのセットを示すために使用され、候補時間領域リソースユニットのセットは、複数の候補時間領域リソースユニットを含む。第２のメッセージは、第１の指示情報を搬送し、第１の指示情報は、複数の候補時間領域リソースユニットのうちの第１の候補時間領域リソースユニットの時間領域リソースユニットフォーマットを示すために使用される。処理ユニット４０１は、送受信機ユニット４０２を制御して、ユーザ機器から、時間領域リソースユニットフォーマットに基づいて、第１の候補時間領域リソースユニット内において、ランダムアクセスプリアンブルを受信するように構成され得る。
【０１３５】
別の例について、送受信機ユニット４０２は、第３のメッセージをユーザ機器に送信するように構成され得る。第３のメッセージは、ユーザ機器の物理ランダムアクセスチャネルの候補時間領域リソースユニットのセットを示すために使用され、候補時間領域リソースユニットのセットは、複数の候補時間領域リソースユニットを含み、複数の候補時間領域リソースユニットは、第１の候補時間領域リソースユニットを含み、第１の候補時間領域リソースユニットは、アップリンク時間領域リソースを伝達するために使用される、アップリンク時間領域リソースリージョンを含む。送受信機ユニットは、ユーザ機器から、第１の候補時間領域リソースユニット内において、ランダムアクセスプリアンブルを受信するようにさらに構成され得る。処理ユニット４０１は、ランダムアクセスプリアンブルと、アップリンク時間領域リソースリージョン内における時間領域位置との間のマッピングのモードに基づいて、第１の候補時間領域リソースユニット内におけるランダムアクセスプリアンブルの時間領域位置を決定するように構成され、マッピングのモードは、ランダムアクセスプリアンブルの最後の時間領域シンボルが、アップリンク時間領域リソースリージョンの最後の時間領域シンボルであるものである。
【０１３６】
具体的な内容については、方法２００または方法３００における関連部分についての説明を参照されたく、詳細は、本明細書においては説明されない。
【０１３７】
上述のユニットの分割は、論理機能分割であるにすぎないことが、理解されるべきである。実際の実装においては、ユニットのすべてまたはいくつかは、物理的エンティティに統合され得、または物理的に別個であり得る。本出願のこの実施形態における送受信機ユニット４０２は、送受信機によって実施され得、処理ユニット４０１は、プロセッサによって実施され得る。図８に示されるように、ネットワークデバイス５００は、プロセッサ５０１と、送受信機５０２と、メモリ５０３とを含み得る。メモリ５０３は、ネットワークデバイス５００が工場から出荷されたときにプレインストールされている、プログラム／コードを記憶するように構成され得、またはプロセッサ５０１によって実行されるコードを記憶し得るなどする。
【０１３８】
本出願のこの実施形態に従ったネットワークデバイス５００は、本出願の実施形態に従った方法２００または方法３００におけるネットワークデバイスに対応し得、送受信機５０２は、方法２００または方法３００においてネットワークデバイスによって実行される様々なタイプの情報送信および受信を実行するように構成され、プロセッサ５０１は、方法２００または方法３００におけるネットワークデバイスによる情報送信および受信とは異なる他の処理を実行するように構成されることが、理解されるべきである。詳細は、本明細書においては説明されない。
【０１３９】
図９は、ネットワークデバイス２０の概略構造図である。ネットワークデバイス２０は、例えば、基地局であり得る。ネットワークデバイス２０は、図１に示されるシステムに適用され得、図３または図６に対応する方法を実行するように構成される。ネットワークデバイス２０は、１つまたは複数のリモート無線ユニット（英語：ｒｅｍｏｔｅ  ｒａｄｉｏ  ｕｎｉｔ、略して、ＲＲＵ）２０１と、１つまたは複数のベースバンドユニット（英語：ｂａｓｅｂａｎｄ  ｕｎｉｔ、略して、ＢＢＵ）２０２とを含む。ＲＲＵ２０１は、送受信機ユニット、送受信機、送受信機回路、または送受信機などと呼ばれることがあり、少なくとも１つのアンテナ２０１１と、無線周波数ユニット２０１２とを含み得る。ＲＲＵ２０１は、無線周波数信号送信および受信を実行し、無線周波数信号とベースバンド信号との間の変換を実行するように、例えば、方法２００または方法３００においてネットワークデバイスによって実行される様々な情報送信および受信を実行するように主に構成される。ＢＢＵ２０２は、ベースバンド処理を実行し、ネットワークデバイスを制御するなどするように主に構成される。ＲＲＵ２０１とＢＢＵ２０２は、物理的に一緒に配置され得、または物理的に別々に配置され、例えば、分散基地局であり得る。
【０１４０】
ＢＢＵ２０２は、ネットワークデバイスの制御センタであり、または処理ユニットと呼ばれることがあり、チャネル符号化、多重化、変調、およびスペクトル拡散などの、ベースバンド処理機能を完了するように主に構成される。例えば、ＢＢＵ（処理ユニット）は、ネットワークデバイスを制御して、方法２００または方法３００における情報送信および受信とは異なる他の処理を実行するように構成され得る。
【０１４１】
例においては、ＢＢＵ２０２は、１つまたは複数のボードを含み得、複数のボードは、すべて、単一のアクセス規格の無線アクセスネットワーク（ＬＴＥネットワークなど）をサポートし得、または異なるアクセス規格の無線アクセスネットワークを別々にサポートし得る。ＢＢＵ２０２は、メモリ２０２１と、プロセッサ２０２２とをさらに含む。メモリ２０２１は、必要な命令および必要なデータを記憶するように構成される。プロセッサ２０２２は、ネットワークデバイスを制御して、必要なアクションを実行するように、例えば、ネットワークデバイスを制御して、方法２００または方法３００における情報送信および受信とは異なる他の処理を実行するように構成される。メモリ２０２１およびプロセッサ２０２２は、１つまたは複数のボードのために働き得る。言い換えると、メモリおよびプロセッサは、各ボード上に別々に配置され得る。代替として、複数のボードは、同じメモリおよび同じプロセッサを使用し得る。加えて、必要な回路が、各ボード上にさらに配置される。
【０１４２】
図１０は、本出願の実施形態に従った端末デバイス６００の概略図である。端末デバイス６００は、図１に示されるシナリオに適用され得、図３または図６に対応する方法を実行するように構成される。図７に示されるように、端末デバイス６００は、処理ユニット６０１と、送受信機ユニット６０２とを含む。送受信機ユニット６０２は、具体的には、方法２００または方法３００においてユーザ機器によって実行される、様々なタイプの情報送信および受信を実行するように構成され得、処理ユニット６０１は、具体的には、方法２００または方法３００におけるユーザ機器による情報送信および受信とは異なる他の処理を実行するように構成される。
【０１４３】
例えば、送受信機ユニット６０２は、ネットワークデバイスによって送信された第１のメッセージを受信するように構成される。第１のメッセージは、ユーザ機器の物理ランダムアクセスチャネルの候補時間領域リソースユニットのセットを示すために使用され、候補時間領域リソースユニットのセットは、複数の候補時間領域リソースユニットを含む。送受信機ユニットは、ネットワークデバイスによって送信された第２のメッセージを受信するようにさらに構成され、第２のメッセージは、第１の指示情報を搬送し、第１の指示情報は、複数の候補時間領域リソースユニットのうちの第１の候補時間領域リソースユニットの時間領域リソースユニットフォーマットを示すために使用される。処理ユニット６０１は、送受信機ユニット６０２を制御して、時間領域リソースユニットフォーマットに基づいて、第１の候補時間領域リソースユニット内において、ランダムアクセスプリアンブルを、ネットワークデバイスに送信するように構成される。
【０１４４】
別の例について、送受信機ユニット６０２は、ネットワークデバイスによって送信された第３のメッセージを受信するように構成される。第３のメッセージは、ユーザ機器の物理ランダムアクセスチャネルの候補時間領域リソースユニットのセットを示すために使用され、候補時間領域リソースユニットのセットは、複数の候補時間領域リソースユニットを含み、複数の候補時間領域リソースユニットは、第１の候補時間領域リソースユニットを含み、第１の候補時間領域リソースユニットは、アップリンク時間領域リソースを伝達するために使用される、アップリンク時間領域リソースリージョンを含む。処理ユニット６０１は、第３のメッセージに基づいて、物理ランダムアクセスチャネルの候補時間領域リソースユニットのセットを決定するように構成される。処理ユニット６０１は、送受信機ユニット６０２を制御して、ランダムアクセスプリアンブルと、アップリンク時間領域リソースリージョン内における時間領域位置との間のマッピングのモードに基づいて、第１の候補時間領域リソースユニット内において、ランダムアクセスプリアンブルを送信するようにさらに構成され、マッピングのモードは、ランダムアクセスプリアンブルの最後の時間領域シンボルが、アップリンク時間領域リソースリージョンの最後の時間領域シンボルであるものである。
【０１４５】
具体的な内容については、上述の方法２００または方法３００における具体的な説明を参照されたく、詳細は、本明細書においては説明されない。
【０１４６】
上述のユニットの分割は論理機能分割であるにすぎないことが、理解されるべきである。実際の実装においては、ユニットのすべてまたはいくつかは、物理的エンティティに統合され得、または物理的に別個であり得る。本出願のこの実施形態における送受信機ユニット６０２は、送受信機によって実施され得、処理ユニット６０１は、プロセッサによって実施され得る。図１１に示されるように、端末デバイス７００は、プロセッサ７０１と、送受信機７０２と、メモリ７０３とを含み得る。メモリ７０３は、端末デバイス７００が工場から出荷されたときにプレインストールされている、プログラム／コードを記憶するように構成され得、またはプロセッサ７０１によって実行されるコードを記憶し得るなどする。
【０１４７】
本出願のこの実施形態に従った端末デバイス７００は、本出願の実施形態に従った方法２００または方法３００における端末デバイスに対応し得、送受信機７０２は、方法２００または方法３００においてユーザ機器によって実行される様々なタイプの情報送信および受信を実行するように構成され、プロセッサ７０１は、方法２００または方法３００におけるユーザ機器による情報送信および受信とは異なる他の処理を実行するように構成されることが、理解されるべきである。詳細は、本明細書においては説明されない。
【０１４８】
図１２は、ユーザ機器の概略構造図である。ユーザ機器は、図１に示されるシナリオに適用され得、図３または図６に対応する方法を実行するように構成される。説明を容易にするために、図１２は、端末デバイスの主要なコンポーネントだけを示している。図１２に示されるように、端末デバイス１０は、プロセッサと、メモリと、制御回路と、アンテナと、入力／出力装置とを含む。制御回路は、ベースバンド信号と無線周波数信号との間の変換を実行し、無線周波数信号を処理するように主に構成される。制御回路とアンテナは、一括して、送受信機と呼ばれることもあり、電磁波の形態で無線周波数信号を送信および受信し、基地局によって送信されたシグナリング指示および／または基準信号を受信するように主に構成され、方法２００または方法３００において端末デバイスによって実行される様々なタイプの情報送信および受信を実行するように構成される。詳細については、上述の関連部分についての説明を参照されたい。プロセッサは、通信プロトコルおよび通信データを処理し、端末デバイス全体を制御し、ソフトウェアプログラムを実行し、ソフトウェアプログラムのデータを処理するように主に構成され、例えば、方法２００または方法３００における情報送信および受信とは異なる他の処理を実行する際に、端末デバイスをサポートするように構成される。メモリは、ソフトウェアプログラムおよびデータを記憶するように主に構成される。タッチスクリーン、ディスプレイ、またはキーボードなどの入力／出力装置は、ユーザによって入力されたデータを受け取り、ユーザにデータを出力するように主に構成される。
【０１４９】
端末デバイスが、電源をオンにされた後、プロセッサは、記憶ユニット内のソフトウェアプログラムを読み込み、ソフトウェアプログラムの命令を解釈および実行し、ソフトウェアプログラムのデータを処理し得る。データが、無線方式で送信される必要があるとき、プロセッサは、送信されるデータに対してベースバンド処理を実行し、その後、無線周波数回路にベースバンド信号を出力する。無線周波数回路が、ベースバンド信号に対する無線周波数処理を実行した後、無線周波数回路は、アンテナを使用することによって、電磁波の形態で無線周波数信号を送信する。データが端末デバイスに送信されたとき、無線周波数回路は、アンテナを使用することによって、無線周波数信号を受信し、無線周波数信号をベースバンド信号に変換し、ベースバンド信号をプロセッサに出力し、プロセッサは、ベースバンド信号をデータに変換し、データを処理する。
【０１５０】
説明を容易にするため、図１２は、１つのメモリおよび１つのプロセッサだけを示していることを、当業者は理解し得る。実際のユーザ機器においては、複数のプロセッサおよびメモリが、存在し得る。メモリは、記憶媒体、または記憶デバイスなどと呼ばれることもある。これは、本出願のこの実施形態において、限定されない。
【０１５１】
任意選択の実装においては、プロセッサは、ベースバンドプロセッサと、中央処理ユニットとを含み得る。ベースバンドプロセッサは、通信プロトコルおよび通信データを処理するように主に構成され、中央処理ユニットは、端末デバイス全体を制御し、ソフトウェアプログラムを実行し、ソフトウェアプログラムのデータを処理するように主に構成される。ベースバンドプロセッサと中央処理ユニットの機能は、図１２におけるプロセッサに統合される。ベースバンドプロセッサと中央処理ユニットは、各々、独立のプロセッサであり得、バスなどの技術を使用することによって、相互接続されることを、当業者は理解し得る。端末デバイスは、異なるネットワーク規格に適合するように、複数のベースバンドプロセッサを含み得、端末デバイスは、端末デバイスの処理能力を強化するために、複数の中央処理ユニットを含み得、端末デバイスのすべてのコンポーネントは、様々なバスを使用することによって、互いに接続され得ることを、当業者は理解し得る。ベースバンドプロセッサは、ベースバンド処理回路、またはベースバンド処理チップと表現されることもある。中央処理ユニットは、中央処理回路、または中央処理チップと表現されることもある。通信プロトコルおよび通信データを処理する機能は、プロセッサ内に組み込まれ得、またはソフトウェアプログラムの形態で、記憶ユニット内に記憶され得、プロセッサは、ソフトウェアプログラムを実行して、ベースバンド処理機能を実施する。
【０１５２】
例えば、本出願のこの実施形態においては、アンテナと、送信および受信機能を有する制御回路は、端末デバイス１０の送受信機ユニット１０１と見なされ得、処理機能を有するプロセッサは、ＵＥ１０の処理ユニット１０２と見なされ得る。図１２に示されるように、端末デバイス１０は、送受信機ユニット１０１と、処理ユニット１０２とを含む。送受信機ユニットは、送受信機、送受信機、または送受信機装置などと呼ばれることもある。任意選択で、送受信機ユニット１０１内にあり、受信機能を実施するように構成されたコンポーネントは、受信ユニットと見なされ得、送受信機ユニット１０１内にあり、送信機能を実施するように構成されたコンポーネントは、送信ユニットと見なされ得る。言い換えると、送受信機ユニット１０１は、受信ユニットと、送信ユニットとを含む。例えば、受信ユニットは、受信機、受信機、または受信機回路などと呼ばれることもあり、送信ユニットは、送信機、送信機、または送信回路などと呼ばれることもある。
【０１５３】
本出願の実施形態における送受信機は、有線送受信機、無線送受信機、またはそれらの組み合わせであり得る。有線送受信機は、例えば、イーサネットインターフェースであり得る。イーサネットインターフェースは、光学的インターフェース、電気的インターフェース、またはそれらの組み合わせであり得る。例えば、無線送受信機は、無線ローカルエリアネットワーク送受信機、セルラネットワーク送受信機、またはそれらの組み合わせであり得る。プロセッサは、中央処理ユニット（英語：ｃｅｎｔｒａｌ  ｐｒｏｃｅｓｓｉｎｇ  ｕｎｉｔ、略して、ＣＰＵ）、ネットワークプロセッサ（英語：ｎｅｔｗｏｒｋ  ｐｒｏｃｅｓｓｏｒ、略して、ＮＰ）、またはＣＰＵとＮＰの組み合わせであり得る。プロセッサは、ハードウェアチップをさらに含み得る。ハードウェアチップは、特定用途向け集積回路（英語：ａｐｐｌｉｃａｔｉｏｎ−ｓｐｅｃｉｆｉｃ  ｉｎｔｅｇｒａｔｅｄ  ｃｉｒｃｕｉｔ、略して、ＡＳＩＣ）、プログラマブル論理デバイス（英語：ｐｒｏｇｒａｍｍａｂｌｅ  ｌｏｇｉｃ  ｄｅｖｉｃｅ、略して、ＰＬＤ）、またはそれらの組み合わせであり得る。ＰＬＤは、複雑プログラマブル論理デバイス（英語：ｃｏｍｐｌｅｘ  ｐｒｏｇｒａｍｍａｂｌｅ  ｌｏｇｉｃ  ｄｅｖｉｃｅ、略して、ＣＰＬＤ）、フィールドプログラマブルゲートアレイ（英語：ｆｉｅｌｄ−ｐｒｏｇｒａｍｍａｂｌｅ  ｇａｔｅ  ａｒｒａｙ、略して、ＦＰＧＡ）、汎用アレイ論理（英語：ｇｅｎｅｒｉｃ  ａｒｒａｙ  ｌｏｇｉｃ、略して、ＧＡＬ）、またはそれらの任意の組み合わせであり得る。メモリは、揮発性メモリ（英語：ｖｏｌａｔｉｌｅ  ｍｅｍｏｒｙ）、例えば、ランダムアクセスメモリ（英語：ｒａｎｄｏｍ−ａｃｃｅｓｓ  ｍｅｍｏｒｙ、略して、ＲＡＭ）を含み得、またはメモリは、不揮発性メモリ（英語：ｎｏｎ−ｖｏｌａｔｉｌｅ  ｍｅｍｏｒｙ）、例えば、リードオンリメモリ（英語：ｒｅａｄ−ｏｎｌｙ  ｍｅｍｏｒｙ、略して、ＲＯＭ）、フラッシュメモリ（英語：ｆｌａｓｈ  ｍｅｍｏｒｙ）、ハードディスクドライブ（英語：ｈａｒｄ  ｄｉｓｋ  ｄｒｉｖｅ、略して、ＨＤＤ）、もしくはソリッドステートドライブ（英語：ｓｏｌｉｄ−ｓｔａｔｅ  ｄｒｉｖｅ、略して、ＳＳＤ）を含み得、またはメモリは、上記のタイプのメモリの組み合わせを含み得る。
【０１５４】
図８および図１１においては、バスインターフェースが、さらに含まれ得る。バスインターフェースは、任意の量の相互接続されたバスおよびブリッジを含み得る。具体的には、プロセッサによって表される１つまたは複数のプロセッサの様々な回路と、メモリによって表されるメモリの様々な回路が、接続される。バスインターフェースは、周辺デバイス、電圧レギュレータ、および電源管理回路などの、他の様々な回路をさらに接続し得る。これは、当技術分野においてよく知られており、したがって、本明細書においてはさらに説明されない。バスインターフェースは、インターフェースを提供する。送受信機は、送信媒体上において他の様々なデバイスと通信するためのユニットを提供する。プロセッサは、バスアーキテクチャの管理と、汎用処理とを担当し、メモリは、操作を実行するためにプロセッサによって使用されるデータを記憶し得る。
【０１５５】
本出願の実施形態において列挙された、様々な説明的な論理ブロック（ｉｌｌｕｓｔｒａｔｉｖｅ  ｌｏｇｉｃ  ｂｌｏｃｋ）およびステップ（ｓｔｅｐ）は、電子ハードウェア、コンピュータソフトウェア、またはそれらの組み合わせを使用することによって、実施され得ることを、当業者はさらに理解し得る。機能が、ハードウェアを使用することによって実施されるか、それともソフトウェアを使用することによって実施されるかは、特定の適用例、およびシステム全体の設計要件に依存する。当業者は、説明された機能を各特定の適用例のために実施するために、様々な方法を使用し得るが、そのような実装が、本出願の実施形態の保護範囲を超えると見なされるべきではない。
【０１５６】
本出願の実施形態において説明された、様々な説明的な論理ユニットおよび回路は、汎用プロセッサ、デジタル信号プロセッサ、特定用途向け集積回路（ＡＳＩＣ）、フィールドプログラマブルゲートアレイ（ＦＰＧＡ）もしく別のプログラマブル論理装置、個別ゲートもしくはトランジスタ論理、個別ハードウェアコンポーネント、またはそれらを任意に組み合わせた設計を使用することによって、説明された機能を実施または操作し得る。汎用プロセッサは、マイクロプロセッサであり得る。任意選択で、汎用プロセッサは、任意の従来のプロセッサ、コントローラ、マイクロコントローラ、または状態機械であり得る。プロセッサは、代替として、デジタル信号プロセッサとマイクロプロセッサ、複数のマイクロプロセッサ、デジタル信号プロセッサコアと一緒の１つもしくは複数のマイクロプロセッサ、または他の任意の同様の構成などの、コンピューティング装置の組み合わせによって、実施され得る。
【０１５７】
本出願の実施形態において説明される方法またはアルゴリズムのステップは、ハードウェア、プロセッサによって実行されるソフトウェアユニット、またはそれらの組み合わせに直接的に組み込まれ得る。ソフトウェアユニットは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、または当技術分野における他の任意の形態の記憶媒体内に記憶され得る。例えば、記憶媒体は、プロセッサが、記憶媒体から情報を読み取り、記憶媒体に情報を書き込み得るように、プロセッサに接続され得る。代替として、記憶媒体は、プロセッサに組み込まれ得る。プロセッサおよび記憶媒体は、ＡＳＩＣ内に配置され得、ＡＳＩＣは、ＵＥ内に配置され得る。任意選択で、プロセッサおよび記憶媒体は、ＵＥの異なるコンポーネント内に配置され得る。
【０１５８】
本出願の様々な実施形態においては、上述の処理の順序番号は、実行順序を意味しないことが、理解されるべきである。処理の実行順序は、処理の機能および内部ロジックに基づいて、決定されるべきであり、本出願の実施形態の実装処理に対するいかなる限定とも解釈されるべきではない。
【０１５９】
上述の実施形態のすべてまたはいくつかは、ソフトウェア、ハードウェア、ファームウェア、またはそれらの任意の組み合わせを用いて実施され得る。実施形態を実施するために、ソフトウェアが使用されるとき、実施形態は、コンピュータプログラム製品の形態で、完全にまたは部分的に実施され得る。コンピュータプログラム製品は、１つまたは複数のコンピュータ命令を含む。コンピュータプログラム命令が、コンピュータ上にロードされ、実行されたとき、本出願の実施形態に従った手順または機能が、すべてまたは一部、生成される。コンピュータは、汎用コンピュータ、専用コンピュータ、コンピュータネットワーク、または別のプログラマブル装置であり得る。コンピュータ命令は、コンピュータ可読記憶媒体内に記憶され得、またはコンピュータ可読記憶媒体から別のコンピュータ可読記憶媒体に伝達され得る。例えば、コンピュータ命令は、有線（例えば、同軸ケーブル、光ファイバ、もしくはデジタル加入者線（ＤＳＬ））、または無線（例えば、赤外線、無線、もしくはマイクロ波）方式で、ウェブサイト、コンピュータ、サーバ、またはデータセンタから、別のウェブサイト、コンピュータ、サーバ、またはデータセンタに伝達され得る。コンピュータ可読記憶媒体は、コンピュータによってアクセス可能な任意の使用可能媒体、または１つもしくは複数の使用可能媒体を統合した、サーバもしくはデータセンタなどの、データ記憶デバイスであり得る。使用可能媒体は、磁気媒体（例えば、ソフトディスク、ハードディスク、もしくは磁気テープ）、光媒体（例えば、ＤＶＤ）、または半導体媒体（例えば、ソリッドステートディスク（Ｓｏｌｉｄ  Ｓｔａｔｅ  Ｄｉｓｋ、ＳＳＤ））などであり得る。
【０１６０】
本明細書における実施形態は、すべて、漸進的方式で説明され、実施形態における同じまたは類似の部分については、これらの実施形態に対する参照が、行われることがあり、各実施形態は、他の実施形態との相違に焦点を合わせている。特に、装置およびシステム実施形態は、基本的に、方法実施形態に類似しており、したがって、簡潔に説明され、関連部分については、方法実施形態におけるその部分についての説明に対する参照が、行われることがある。
【０１６１】
本出願における本明細書の上述の説明は、当業者が、本出願の内容を使用または実施することを可能にし得る。開示された内容に基づいて行われる任意の変更は、当技術分野において明らかであると見なされるべきである。本出願において説明される基本原理は、本出願の本質および範囲から逸脱することなく、他の変形に適用され得る。したがって、本出願において開示される内容は、説明される実施形態および設計に限定されず、本出願の原理、および本出願において開示された新しい特徴と矛盾しない、最大範囲までさらに拡張され得る。
【図１】
0006910483.tif 000014
【図２】
0006910483.tif 000015
【図３】
0006910483.tif 000016
【図４】
0006910483.tif 000017
【図５】
0006910483.tif 000018
【図６】
0006910483.tif 000019
【図７】
0006910483.tif 000020
【図８】
0006910483.tif 000021
【図９】
0006910483.tif 000022
【図１０】
0006910483.tif 000023
【図１１】
0006910483.tif 000024
【図１２】
0006910483.tif 000025